(57)【特許請求の範囲】
【請求項１】
OFDM(Orthogonal Frequency Division Multiplexing)信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と、
前記補間フィルタの通過帯域を制御するフィルタ制御手段と
を備え、
前記OFDM信号は、プリアンブル信号の伝送シンボルと、前記パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含み、
前記プリアンブル信号は、前記データシンボルのパイロットパターンの情報を含み、
前記フィルタ制御手段は、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信装置。
【請求項２】
前記フィルタ制御手段は、前記プリアンブル信号のBPSK(Binary Phase Shift Keying)の伝送シンボルを対象として、前記歪み補正後の伝送シンボルの信号品質を求める
請求項１に記載の受信装置。
【請求項３】
前記OFDM信号は、DVB-T.2の規格に準拠した信号であり、
前記プリアンブル信号は、DVB-T.2の規格のL1であり、
前記プリアンブルシンボルは、DVB-T.2の規格のP2のOFDMシンボルであり、
前記フィルタ制御手段は、前記DVB-T.2の規格のL1のうちのL1preの伝送シンボルを対象として、前記歪み補正後の伝送シンボルの信号品質を求める
請求項２に記載の受信装置。
【請求項４】
前記フィルタ制御手段は、
前記プリアンブルシンボルに含まれるパイロット信号の伝送シンボルの一部を用いて求められる、前記伝送シンボルの一部に対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記パイロット信号の伝送シンボルの残りについて、前記歪み補正後の伝送シンボルの信号品質を求め、
前記信号品質を最良にする前記通過帯域を求める
請求項１に記載の受信装置。
【請求項５】
前記フィルタ制御手段は、前記補間フィルタの通過帯域の中心であるフィルタ中心の位置を制御する
請求項１に記載の受信装置。
【請求項６】
OFDM(Orthogonal Frequency Division Multiplexing)信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と
を備え、
前記OFDM信号は、プリアンブル信号の伝送シンボルと、前記パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含み、
前記プリアンブル信号は、前記データシンボルのパイロットパターンの情報を含む
受信装置が、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信方法。
【請求項７】
伝送路を介して取得した信号に対して、前記伝送路で生じる誤りを訂正する処理を少なくとも含む伝送路復号処理を施す伝送路復号処理部と、
前記伝送路復号処理が施された信号に対して、圧縮された情報を元の情報に伸張する処理を少なくとも含む情報源復号処理を施す情報源復号処理部と
を含み、
前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、
前記伝送路復号処理部は、
前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と、
前記補間フィルタの通過帯域を制御するフィルタ制御手段と
を備え、
前記フィルタ制御手段は、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信システム。
【請求項８】
伝送路を介して取得した信号に対して、前記伝送路で生じる誤りを訂正する処理を少なくとも含む伝送路復号処理を施す伝送路復号処理部と、
前記伝送路復号処理が施された信号に基づいて、画像又は音声を出力する出力部と
を含み、
前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、
前記伝送路復号処理部は、
前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と、
前記補間フィルタの通過帯域を制御するフィルタ制御手段と
を備え、
前記フィルタ制御手段は、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信システム。
【請求項９】
伝送路を介して取得した信号に対して、前記伝送路で生じる誤りを訂正する処理を少なくとも含む伝送路復号処理を施す伝送路復号処理部と、
前記伝送路復号処理が施された信号を記録する記録部と
を含み、
前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、
前記伝送路復号処理部は、
前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と、
前記補間フィルタの通過帯域を制御するフィルタ制御手段と
を備え、
前記フィルタ制御手段は、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信システム。
【請求項１０】
伝送路を介して、信号を取得する取得手段と、
前記伝送路を介して取得した信号に対して、前記伝送路で生じる誤りを訂正する処理を少なくとも含む伝送路復号処理を施す伝送路復号処理部と
を含み、
前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、
前記伝送路復号処理部は、
前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、
前記伝送路特性データを用いて、前記OFDM信号の歪み補正を行う歪み補正手段と、
前記補間フィルタの通過帯域を制御するフィルタ制御手段と
を備え、
前記フィルタ制御手段は、
前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、
前記伝送路特性データを用いて、前記プリアンブルシンボルの伝送シンボルの歪み補正を行い、
前記歪み補正後の前記プリアンブル信号の伝送シンボルの信号品質を求め、
前記信号品質を最良にする前記通過帯域を求め、
前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、
前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する
受信システム。
【発明の詳細な説明】
【技術分野】
【０００１】
本発明は、受信装置、及び、受信方法、並びに、受信システムに関し、OFDM信号の伝送路の特性である伝送路特性の推定精度の劣化を防止することができるようにする受信装置、及び、受信方法、並びに、受信システムに関する。
【背景技術】
【０００２】
地上ディジタル放送等では、データ（信号）の変調方式として、OFDM(Orthogonal Frequency Division Multiplexing)（直交周波数分割多重）が採用されている。
【０００３】
OFDMでは、伝送帯域内に多数の直交するサブキャリア（副搬送波）が設けられ、それぞれのサブキャリアの振幅や位相にデータを割り当る、PSK(Phase Shift Keying)やQAM(Quadrature Amplitude Modulation)等のディジタル変調が行われる。
【０００４】
OFDMでは、多数のサブキャリアで伝送帯域を分割するため、１つ（１波）のサブキャリアあたりの帯域は狭くなり、変調速度は遅くなるが、トータル（サブキャリアの全体）の伝送速度は、従来の変調方式と変わらない。
【０００５】
上述したように、OFDMにおいては、複数のサブキャリアに対してデータの割り当てが行なわれることから、変調は、逆フーリエ変換を行うIFFT(Inverse Fast Fourier Transform)演算によって行うことができる。また、変調の結果得られるOFDM信号の復調は、フーリエ変換を行うFFT(Fast Frourier Transform)演算によって行うことができる。
【０００６】
したがって、OFDM信号を送信する送信装置は、IFFT演算を行う回路を用いて構成することができ、OFDM信号を受信する受信装置は、FFT演算を行う回路を用いて構成することができる。
【０００７】
また、OFDMでは、後述するガードインターバルと呼ばれる信号区間を設けることで、マルチパスに対する耐性を向上させることができる。さらに、OFDMでは、既知の信号（受信装置側で分かっている信号）であるパイロット信号が、時間方向や周波数方向に離散的に挿入され、受信装置では、そのパイロット信号が、同期や、伝送路特性の推定に利用される。
【０００８】
OFDMは、マルチパスに対する耐性が強いため、マルチパス妨害の影響を強く受ける地上ディジタル放送等で採用されている。OFDMを採用した地上ディジタル放送の規格としては、例えば、DVB-T（Digital Video Broadcasting-Terrestrial）や、ISDB-T（Integrated Services Digital Broadcasting-Terrestrial）等がある。
【０００９】
OFDMでは、データは、OFDMシンボルと呼ばれる単位で送信（伝送）される。
【００１０】
図１は、OFDMシンボルを示す図である。
【００１１】
OFDMシンボルは、変調時にIFFTが行われる信号期間である有効シンボルと、その有効シンボルの後半の一部の波形が、そのまま、有効シンボルの先頭にコピーされたガードインターバルとから構成される。
【００１２】
OFDMシンボルの有効シンボルの長さ、すなわち、ガードインターバルを含まない長さである有効シンボル長が、Tu［秒］であり、OFDMのサブキャリアどうしの間隔が、Fc［Hz］であるとすると、式Fc=1/Tuの関係が成り立つ。
【００１３】
OFDMでは、図１に示したように、OFDMシンボルの先頭に、ガードインターバルを設けることで、マルチパスに対する耐性を向上させている。
【００１４】
地上ディジタル放送では、OFDM伝送フレームと呼ばれる単位が定義され、このOFDM伝送フレームは、複数のOFDMシンボルによって構成される。
【００１５】
例えば、ISDB-T規格においては、２０４個のOFDMシンボルで、１つのOFDM伝送フレームが構成される。そして、このOFDM伝送フレームを単位として、パイロット信号を挿入する位置が、あらかじめ定められている。
【００１６】
各サブキャリアの変調に、QAM系の変調を用いるOFDMにおいては、送信時に、マルチパス等により、データのOFDMを行って得られるOFDM信号のサブキャリアの振幅や位相が、サブキャリアごとに異なる影響を受ける。
【００１７】
このため、受信装置では、送信装置から受信したOFDM信号のサブキャリアの振幅及び位相が、送信装置が送信したOFDM信号のサブキャリアの振幅及び位相に等しくなるように、送信装置から受信したOFDM信号を等化する歪み補正を行う。
【００１８】
すなわち、OFDMでは、送信装置において、振幅及び位相があらかじめ定められている既知のパイロット信号（の伝送シンボル）が、OFDMシンボルを構成する伝送シンボル（サブキャリア）として離散的に挿入される。そして、受信装置において、パイロット信号の振幅及び位相に基づいて、伝送路の特性（周波数特性）である伝送路特性が推定され、その伝送路特性を表す伝送路特性データを用いて、OFDM信号の歪み補正が行われる。
【００１９】
図２は、OFDMシンボル内の、パイロット信号（の伝送シンボル）の配置パターンの例を示す図である。
【００２０】
なお、図２において（後述する図５、図６、図１４、及び、図１５でも同様）、横軸は、OFDM信号のサブキャリアを特定するサブキャリア番号を表し、縦軸は、OFDM信号のOFDMシンボルを特定するOFDMシンボル番号を表す。
【００２１】
サブキャリア番号は、周波数に対応し、OFDMシンボル番号は、時間に対応する。
【００２２】
図２において、丸印（白丸印、及び、黒丸印）は、OFDM信号のサブキャリア、あるいは、OFDMシンボルを構成する伝送シンボル（送信装置側で、サブキャリアを変調するデータとしての、IQコンスタレーション(constellation)上のシンボル）を表す。
【００２３】
また、図２において、黒丸印は、パイロット信号の伝送シンボルを表す。
【００２４】
図２では、パイロット信号の伝送シンボルは、OFDM信号の、あらかじめ定められた複数の位置に配置されている。
【００２５】
すなわち、図２では、パイロット信号（の伝送シンボル）は、時間方向には、４個のOFDMシンボル（OFDMシンボル番号）ごとに配置され、周波数方向には、１２個のサブキャリア（サブキャリア番号）ごとに配置されている。
【００２６】
パイロット信号には、SP(Scattered Pilot)と呼ばれるパイロット信号や、CP(Continual Pilot)と呼ばれるパイロット信号がある。
【００２７】
SPは、所定数のサブキャリア（伝送シンボル）ごとに周期的に配置され、伝送路特性の推定に用いられる。CPは、同一の周波数（あらかじめ決められた周波数）のサブキャリアに配置される。
【００２８】
図２は、SPの配置パターンの例を示している。
【００２９】
DVB-TやISDB-Tでは、SPの配置パターンは、１通りのパターンに固定されているが、DVB-T.2(Digital Video Broadcasting - Second Generation Terrestrial)では、SPの配置パターンとして、複数のパターン（８通りのパターン）が定められており、SPは、その複数のパターンのうちの１つのパターンに従って配置される。
【００３０】
図３は、OFDM信号を受信する、従来の受信装置の一例の構成を示すブロック図である。
【００３１】
図３において、受信装置は、アンテナ１１、チューナ１２、BPF（バンドパスフィルタ）１３、A／D(Analog/Digital)変換部１４、直交復調部１５、オフセット補正部１６、FFT制御部１７、FFT部１８、伝送路特性推定部１９、伝送路歪み補正部２０、及び、誤り訂正部２１を備えている。
【００３２】
アンテナ１１は、図示せぬ放送局の送信装置から送信（放送）されてくるOFDM信号の放送波を受信し、その放送波を、RF(Radio Frequency)信号に変換して、チューナ１２に供給する。
【００３３】
チューナ１２は、アンテナ１１からのRF信号から、所定の周波数帯域の信号を抽出し、IF(Intermidiate Frequency)信号に周波数変換して、BPF１３に供給する。
【００３４】
BPF１３は、チューナ１２からのIF信号をフィルタリングし、A/D変換部１４に供給する。A/D変換部１４は、BPF１３からのIF信号をA/D変換し、その結果得られるディジタル信号のIF信号を、直交復調部１５に供給する。
【００３５】
直交復調部１５は、所定の周波数（キャリア周波数）のキャリアを用いて、A/D変換部１４からのIF信号を直交復調し、その結果得られるベースバンドのOFDM信号を出力する。
【００３６】
ここで、直交復調部１５が出力するOFDM信号は、FFT演算がされる前（送信装置側で、IQコンスタレーション上の伝送シンボルがIFFT演算された直後）の時間領域の信号であり、以下、OFDM時間領域信号ともいう。
【００３７】
OFDM時間領域信号は、実軸成分（I(In Phase)成分）と虚軸成分（Q(Quadrature Phase)成分）とを含む、複素数で表される複素信号である。
【００３８】
OFDM時間領域信号は、直交復調部１５からオフセット補正部１６に供給される。
【００３９】
オフセット補正部１６は、直交復調部１５からのOFDM時間領域信号を対象として、A／D変換部１０４でのサンプリングオフセット（サンプリングのタイミングのずれ）の補正や、直交復調部１５のキャリアの周波数のオフセット（送信装置で用いられているキャリアの周波数とのずれ）の補正を行う。
【００４０】
さらに、オフセット補正部１６は、例えば、同一チャンネル妨害や隣接チャンネル妨害を除去するためのフィルタリング等を、必要に応じて行う。
【００４１】
オフセット補正部１６で処理が施されたOFDM時間領域信号は、FFT制御部１７とFFT部１８とに供給される。
【００４２】
FFT制御部１７は、オフセット補正部１６からのOFDM時間領域信号の相関を演算すること等によって、FFT部１８でのFFT演算の対象とする、OFDM時間領域信号の区間であるFFT区間の開始位置（FFT開始位置）を検出し、そのFFT開始位置を表すタイミング信号を、FFT部１８に供給する。
【００４３】
FFT部１８は、FFT制御部１７から供給されるタイミング信号に従って、オフセット補正部１６からのOFDM時間領域信号のFFT演算を行う。OFDM時間領域信号のFFT演算により、サブキャリアで送信されてきたデータ、すなわち、IQコンスタレーション上の伝送シンボルを表すOFDM信号が得られる。
【００４４】
ここで、OFDM時間領域信号のFFT演算により得られるOFDM信号は、周波数領域の信号であり、以下、OFDM周波数領域信号ともいう。
【００４５】
FFT部１８は、FFT演算によって得られたOFDM周波数領域信号を、伝送路特性推定部１９と、伝送路歪み補正部２０とに供給する。
【００４６】
伝送路特性推定部１９は、FFT部１８からのOFDM周波数領域信号において、図２に示したように配置されたパイロット信号(SP)を用いて、OFDM信号の各サブキャリア（伝送シンボル）に対する伝送路特性を推定する。そして、伝送路特性推定部１９は、その伝送路特性の推定値である伝送路特性データを、伝送路歪み補正部２０に供給する。
【００４７】
伝送路歪み補正部２０は、FFT部１８からのOFDM周波数領域信号を対象とし、OFDM信号のサブキャリアが伝送路で受けた振幅と位相の歪みを補正する歪み補正を、伝送路特性推定部１９からの伝送路特性データを用いて行い（例えば、OFDM周波数領域信号を、伝送路特性データで除算すること等で、OFDM周波数領域信号の歪み補正を行い）、その歪み補正後のOFDM周波数領域信号を、誤り訂正部２１に供給する。
【００４８】
誤り訂正部２１は、伝送路歪み補正部２０からのOFDM周波数領域信号を対象として、必要な誤り訂正処理、すなわち、例えば、デインターリーブや、デパンクチャ(de-puncture)、ビタビ復号、拡散信号除去、LDPC(Low Density Parity Check)復号、RS（リードソロモン）復号を行い、その結果得られる復号データを出力する。
【００４９】
図４は、図３の伝送路特性推定部１９の構成例を示すブロック図である。
【００５０】
図４において、伝送路特性推定部１９は、パイロット抽出部３１、基準信号生成部３２、推定部３３、時間方向補間部３４、及び、周波数方向補間部３５を備える。また、周波数方向補間部３５は、位置調整部３６、フィルタ中心制御部３７、アップサンプル部３８、及び、補間フィルタ３９を備える。
【００５１】
FFT部１８から伝送路特性推定部１９に供給されるOFDM周波数領域信号は、パイロット抽出部３１に供給される。
【００５２】
パイロット抽出部３１は、FFT部１８からのOFDM周波数領域信号から、例えば、図２に示したように配置されたSPの伝送シンボルを抽出し、推定部３３に供給する。
【００５３】
基準信号生成部３２は、送信装置がOFDM信号に含ませるのと同一のSP（の伝送シンボル）を生成し、OFDM周波数領域信号に含まれるパイロット信号の伝送シンボルに対する伝送路特性の推定において基準となる基準信号として、推定部３３に供給する。
【００５４】
ここで、ISDB−T規格やDVB−T規格等では、パイロット信号の伝送シンボルは、所定のデータをBPSK(Binary Phase Shift Keying)変調した信号であり、基準信号生成部３２は、その所定のデータをBPSK変調した伝送シンボルを生成し、基準信号として、推定部３３に供給する。
【００５５】
推定部３３は、パイロット抽出部３１からのSPの伝送シンボルを、基準信号生成部３２からの基準信号で除算することにより、SPの伝送シンボルに対する伝送路特性（以下、SP伝送路特性ともいう）を推定し、その伝送路特性の推定値であるSP伝送路特性データを、時間方向補間部３４に供給する。
【００５６】
ここで、OFDM信号が伝送路で受ける歪み（マルチパス等に起因する歪み）は、OFDM信号に対する乗算となる。したがって、OFDM信号が伝送路で受ける歪み成分であるSP伝送路特性の推定は、パイロット抽出部３１からのSPの伝送シンボルを、基準信号で除算することで行うことができる。
【００５７】
時間方向補間部３４は、推定部３３からのSP伝送路特性データを、シンボル番号方向（時間方向）に用いて、時間方向の補間を行い、その補間後のデータである時間方向補間特性データを、周波数方向補間部３５に供給する。
【００５８】
周波数方向補間部３５は、時間方向補間部３４からの時間方向補間特性データを周波数方向に補間するフィルタリングを行うことにより、周波数方向の補間がされた伝送路特性、つまり、OFDMシンボルの各伝送シンボル（各サブキャリア）に対する伝送路特性を推定した推定値である伝送路特性データ（以下、周波数方向補間特性データともいう）を、伝送路歪み補正部２０に供給する。
【００５９】
すなわち、周波数方向補間部３５では、時間方向補間部３４からの時間方向補間特性データが、位置調整部３６、及び、フィルタ中心制御部３７に供給される。
【００６０】
位置調整部３６は、時間方向補間部３４からの時間方向補間特性データの位相を、フィルタ中心制御部３７からの最適位置情報に応じて調整（回転）し、位相の調整後の時間方向補間特性データを、アップサンプル部３８に供給する。
【００６１】
一方、フィルタ中心制御部３７には、時間方向補間部３４から時間方向補間特性データが供給される他、FFT部１８から、OFDM周波数領域信号が供給される。
【００６２】
フィルタ中心制御部３７は、時間方向補間部３４からの時間方向補間特性データ、すなわち、SPを用いて求められたSP伝送路特性データ（の時間方向の補間を行って得られる時間方向補間特性データ）を、フィルタ中心の位置を調整しながら図示せぬ補間フィルタでフィルタリングすることにより、OFDM周波数領域信号の各伝送シンボルに対する伝送路特性の推定値である伝送路特性データ（周波数方向補間特性データ）を求める。
【００６３】
さらに、フィルタ中心制御部３７は、伝送路特性データを用いて、FFT部１８からのOFDM周波数領域信号（の伝送シンボル）の歪み補正を行い、歪み補正後のOFDM周波数領域信号の信号品質を、所定の伝送シンボルを対象として求める。
【００６４】
ここで、フィルタ中心制御部３７では、例えば、ISDB-Tについては、TMCC(Transmission and Multiplexing Configuration Control)/AC(Auxiliary Channel)の伝送シンボルを対象として、DVB-Tについては、TPS(Transmission Parameters Signalling)の伝送シンボルを対象として、信号品質が求められる。
【００６５】
信号品質としては、歪み補正後の伝送シンボルのノイズ量に相当する、例えば、歪み補正後の伝送シンボルと、その伝送シンボルの硬判定値との（IQコンスタレーション上での）距離を採用することができる。この場合、信号品質は、値が小さいほど、品質が良いことを表す。
【００６６】
フィルタ中心制御部３７は、（図示せぬ補間フィルタの）フィルタ中心の位置を調整しながら、歪み補正後のOFDM周波数領域信号の信号品質を求め、信号品質が最良になるフィルタ中心の位置（以下、最適位置ともいう）を求める。
【００６７】
そして、フィルタ中心制御部３７は、補間フィルタ３９のフィルタ中心の位置が、最適位置になるように、補間フィルタ３９のフィルタ中心の位置を制御する。
【００６８】
すなわち、フィルタ中心制御部３７は、最適位置を表す最適位置情報を、位置調整部３６に供給する
【００６９】
位置調整部３６は、上述したように、時間方向補間部３４からの時間方向補間特性データの位相を、フィルタ中心制御部３７からの最適位置情報に応じて調整し、すなわち、時間方向補間特性データを、IQコンスタレーション上で回転し、これにより、いわば相対的に、後述する補間フィルタ３９での、時間方向補間特性データのフィルタリング時のフィルタ中心の位置を、最適位置情報が表す位置にする。
【００７０】
アップサンプル部３８は、以上のようにして、位置調整部３６で得られる位相の調整後の時間方向補間特性データのサンプル値どうしの間に、周波数方向に見て、伝送路特性の推定値が求められていない伝送シンボルの個数に等しい、例えば、２個のゼロを補間することにより、データ量（サンプル値の数）を元の３倍にした時間方向補間特性データを生成し、補間フィルタ３９に供給する。
【００７１】
補間フィルタ３９は、周波数方向の補間のためのフィルタリングを行うLPF(Low Pass Filter)であり、アップサンプル部３８からの時間方向補間特性データをフィルタリングする。
【００７２】
補間フィルタ３９によるフィルタリングにより、アップサンプル部３８でのゼロの補間によって時間方向補間特性データに生じる繰り返し成分が除去され、周波数方向の補間がされた伝送路特性、すなわち、OFDMシンボルの伝送シンボル（サブキャリア）のそれぞれに対する伝送路特性の推定値である周波数方向補間特性データが求められる。
【００７３】
以上のようにして補間フィルタ３９で得られた周波数方向補間特性データは、OFDM信号の歪み補正に用いる伝送路特性データとして、伝送路歪み補正部２０に供給される。
【００７４】
ここで、伝送路特性推定部１９は、補間フィルタ３９で求められた伝送路特性データの他、フィルタ中心制御部３７で求められた最適位置情報も、伝送路歪み補正部２０に供給する。
【００７５】
伝送路歪み補正部２０では、伝送路特性推定部１９からの最適位置情報に応じて、FFT部１８からのOFDM周波数領域信号の位相が調整（回転）され、その後、そのOFDM周波数領域信号が、伝送路特性推定部１９からの伝送路特性データで除算されることで、OFDM周波数領域信号の歪み補正が行われる。
【００７６】
図５は、図４の時間方向補間部３４が、図２に示した配置のSPの位置の伝送路特性データ（SP伝送路特性データ）を用いて求める、時間方向の補間がされた伝送路特性の推定値である時間方向補間特性データを説明する図である。
【００７７】
図５において、丸印（白丸印、及び、斜線を付した丸印）は、OFDM信号の伝送シンボル（サブキャリア）を表す。
【００７８】
また、図５において、斜線を付した丸印は、時間方向補間特性データに、伝送路特性の推定値が含まれる（時間方向補間特性データのサンプル値が存在する）伝送シンボルを表す
【００７９】
時間方向補間部３４での時間方向の補間によれば、図２に示したようにSPが配置されているOFDM信号からは、図５に示すように、各OFDMシンボルについて、（周波数方向に）３個の伝送シンボルごとの伝送路特性の推定値を得ることができる。
【００８０】
図６は、図４の周波数方向補間部３５が、図５に斜線を付した丸印で示した伝送シンボルの伝送路特性の推定値である時間方向補間特性データを用いて求める、周波数方向の補間がされた伝送路特性の推定値である周波数方向補間特性データを説明する図である。
【００８１】
周波数方向補間部３５は、周波数方向に、３個の伝送シンボルごとに伝送路特性の推定値が得られている時間方向補間特性データをサブキャリア番号方向（周波数方向）に補間することで、図６において斜線を付した長方形で囲む、OFDMシンボルの伝送シンボルのそれぞれの伝送路特性の推定値である周波数方向補間特性データを求める。
【００８２】
すなわち、周波数方向補間部３５では、位置調整部３６において、時間方向補間部３４からの時間方向補間特性データの位相が、フィルタ中心制御部３７から供給される最適位置情報に従って調整され、位相の調整後の時間方向補間特性データが、アップサンプル部３８に供給される。
【００８３】
アップサンプル部３８は、位置調整部３６からの時間方向補間特性データ（図５）のサンプル値どうしの間に、２個のゼロを補間することにより、データ量を元の３倍にした時間方向補間特性データを生成し、補間フィルタ３９に供給する。
【００８４】
すなわち、位置調整部３６からアップサンプル部３８に供給される時間方向補間特性データは、図５に示したように、周波数方向に見て、３個の伝送シンボルごとの伝送路特性の推定値が並ぶ系列になっている
【００８５】
したがって、位置調整部３６からアップサンプル部３８に供給される時間方向補間特性データについては、周波数方向に見て、伝送路特性が推定されている伝送シンボルどうしの間に、伝送路特性が推定されていない伝送シンボルが２個だけ存在する。このため、アップサンプル部３８では、伝送路特性が推定されていない２個の伝送シンボルに対する伝送路特性のサンプル点となる２個のゼロが補間される。
【００８６】
以上のように、アップサンプル部３８で補間されるゼロの数は、時間方向補間部３４で得られる時間方向補間特性データが、周波数方向に見て、幾つの伝送シンボルごとの伝送路特性の推定値の系列になっているかによって異なる。
【００８７】
上述のように、アップサンプル部３８において、位置調整部３６からの時間方向補間特性データのサンプル値どうしの間に、２個のゼロが補間されると、その補間の結果得られる時間方向補間特性データ（以下、０値補間特性データともいう）は、時間領域において、繰り返し成分を含むものとなる。
【００８８】
すなわち、時間方向補間特性データは、OFDM周波数領域信号から求められるデータであり、周波数領域のデータである。
【００８９】
そして、時間方向補間特性データと、その時間方向補間特性データにゼロを補間して得られる０値補間特性データとは、アナログ信号としては、同一の信号であるので、時間方向補間特性データの時間領域のデータと、０値補間特性データの時間領域のデータとは、周波数成分が同一のデータとなる。
【００９０】
また、時間方向補間特性データは、３個の伝送シンボルごとの伝送路特性の推定値の系列である。周波数方向の伝送シンボル（サブキャリア）どうしの間隔は、上述したように、Fc=1/Tu［Hz］であるから、（周波数方向に）３個の伝送シンボルごとの伝送路特性の推定値の系列である時間方向補間特性データのサンプル値（推定値）どうしの間隔は、3Fc=3/Tu［Hz］である。
【００９１】
したがって、時間方向補間特性データのサンプル値どうしの間に、２個のゼロが補間されることによって得られる０値補間特性データのサンプル値どうしの間隔は、Fc=1/Tu［Hz］となる。
【００９２】
一方、サンプル値どうしの間隔が3Fc=3/Tu［Hz］の時間方向補間特性データは、時間領域では、1/3Fc=Tu/3［秒］を１周期とするデータである。
【００９３】
また、サンプル値どうしの間隔がFc=1/Tu［Hz］の０値補間特性データは、時間領域では、1/Fc=Tu［秒］を１周期とするデータ、すなわち、時間方向補間特性データの周期の３倍を１周期とするデータである。
【００９４】
以上のように、時間方向補間特性データの時間領域のデータと周波数成分が同一で、かつ、時間方向補間特性データの時間領域のデータの周期の３倍を１周期とする０値補間特性データの時間領域のデータは、時間方向補間特性データの時間領域のデータが３回繰り返されたものとなる。
【００９５】
すなわち、図７は、０値補間特性データの時間領域のデータを示している。
【００９６】
なお、以下では、説明を簡単にするために、マルチパスが２つのパス（メインパスと１つのエコー）から構成される（２波環境である）こととする。
【００９７】
図７において（後述する図１０でも同様）、横軸は、時間を表し、縦軸は、パス（OFDM信号）のパワーレベルを表している。
【００９８】
周期がTu［秒］の０値補間特性データ（の時間領域のデータ）は、周期がTu/3［秒］の時間方向補間特性データ（の時間領域のデータ）に対応するマルチパスが、３回繰り返されたものとなる。
【００９９】
いま、０値補間特性データにおいて、３回繰り返される時間方向補間特性データに対応するマルチパスのうちの、２回目（中央）のマルチパス（図７において斜線を付して示す）を、周波数方向補間特性データとして抽出する所望マルチパスということとすると、周波数方向補間特性データに対応する所望マルチパスを得るには、他のマルチパスを除去する必要がある。
【０１００】
そこで、補間フィルタ３９（図４）は、０値補間特性データをフィルタリングすることで、所望マルチパス以外のマルチパスを除去し、これにより、周波数方向補間特性データに対応する所望マルチパスを抽出する。
【０１０１】
なお、０値補間特性データは、周波数領域のデータであり、補間フィルタ３９での０値補間特性データのフィルタリングは、補間フィルタ３９のフィルタ係数と、周波数領域のデータである０値補間特性データとの畳み込みとなる。
【０１０２】
周波数領域での畳み込みは、補間フィルタ３９の通過帯域としての、時間領域での窓関数との乗算になるので、補間フィルタ３９での０値補間特性データのフィルタリングは、時間領域において、０値補間特性データ（の時間領域のデータ）と、補間フィルタ３９の通過帯域としての窓関数との乗算として表すことができる。
【０１０３】
図７では（後述する図１０でも同様）、０値補間特性データのフィルタリングが、０値補間特性データと、補間フィルタ３９の通過帯域（に対応する窓関数）との乗算として表されている。
【０１０４】
０値補間特性データにおいて、３回繰り返されているマルチパスの周期は、Tu/3［秒］であるので、補間フィルタ３９を、例えば、３回繰り返されているマルチパスの周期Tu/3［秒］と同一の帯域幅の、-Tu/6ないし+Tu/6の帯域を通過帯域とするLPFとすることで、周波数方向補間特性データに対応する所望マルチパスを抽出することができる。
【０１０５】
なお、補間フィルタ３９の通過帯域の帯域幅を調整することにより、０値補間特性データ（時間方向補間特性データ）に含まれる雑音を低減することができる（例えば、特許文献１を参照）。
【０１０６】
また、フィルタ中心制御部３７（図４）では、所望マルチパスが、図７に示したように、補間フィルタ３９の通過帯域内に含まれるように、その通過帯域の中心の位置（フィルタ中心の位置）が制御される。
【０１０７】
すなわち、上述したように、フィルタ中心制御部３７は、歪み補正後のOFDM信号（周波数領域OFDM信号）の信号品質を最良にするフィルタ中心の位置（最適位置）を求め、その最適位置を表す最適位置情報を、位置調整部３６（図４）に供給する。
【０１０８】
位置調整部３６では、所望マルチパスが、図７に示したように、補間フィルタ３９の通過帯域内に含まれるように、時間方向補間特性データの位相が、フィルタ中心制御部３７から供給される最適位置情報に応じて調整（回転）される。
【０１０９】
その結果、補間フィルタ３９のフィルタ中心（通過帯域の中心）の位置は、相対的に、所望マルチパスが、補間フィルタ３９の通過帯域内に含まれるように制御される。
【０１１０】
ここで、所望マルチパスの一部のパスが、補間フィルタ３９の通過帯域に含まれていない場合、伝送路特性推定部１９での伝送路特性の推定精度が劣化し、その結果、歪み補正後のOFDM周波数領域信号に含まれるノイズが大となって、信号品質が低下する。
【０１１１】
そのため、フィルタ中心制御部３７は、歪み補正後のOFDM周波数領域信号の信号品質が最良になるフィルタ中心の位置（最適位置）を求め、補間フィルタ３９のフィルタ中心の位置が、最適位置になるように、補間フィルタ３９のフィルタ中心の位置を制御する。
【０１１２】
ところで、DVB-TやISDB-Tでは、SPの配置パターンは、１通りのパターンに固定されており、さらに、信号品質を求める対象のTPSの伝送シンボルや、TMCC/ACの伝送シンボルの位置も固定であるため、SPからの伝送路特性の推定、伝送路特性の推定値を用いてのOFDM周波数領域信号の歪み補正、及び、歪み補正後のOFDM周波数領域信号のTPSの伝送シンボルや、TMCC/ACの伝送シンボルの信号品質の算出を行い、その信号品質が最良になるように、補間フィルタ３９のフィルタ中心の位置を制御することができる。
【０１１３】
一方、DVB-T.2では、上述したように、SPの配置パターンとして、複数のパターン（８通りのパターン）が定められており、その複数のパターンのうちのいずれか１つのパターンが選択され、そのパターンに従って、SPが配置されている。そして、DVB-T.2では、SPの配置パターンの情報が、OFDM信号に別途含めて送信されてくる。
【０１１４】
この場合、OFDM信号に含まれる、SPの配置パターンの情報が復号されるまでは、SPの配置パターンを認識することができず、その結果、信号品質が最良になるように、補間フィルタ３９のフィルタ中心の位置を制御することが困難となって、伝送路特性の推定精度が劣化する。
【０１１５】
すなわち、DVB-T.2（のブルーブック）では、T2フレーム(T2 frame)と呼ばれるフレームが定義され、データは、T2フレーム単位で送信される。
【０１１６】
T2フレーム（のOFDM信号）は、P1及びP2と呼ばれる２種類のプリアンブル(Preamble)信号を含み、そのプリアンブル信号には、OFDM信号の復調等の処理に必要な情報が含まれる。
【０１１７】
図８は、T2フレームのフォーマットを示す図である。
【０１１８】
T2フレームには、１個のP1のOFDMシンボル（以下、P1シンボルともいう）、１個以上のP2のOFDMシンボル（以下、P2シンボルともいう）、１個以上のデータ(Normal)のOFDMシンボル（以下、データシンボルともいう）、及び、必要なFC(Frame Closing)のOFDMシンボルが、その順で含まれる。
【０１１９】
P1(P1 Signalling)には、ビットS1及びS2が含まれる。
【０１２０】
ビットS1及びS2は、フレームがT2フレームであるのかどうかや、フレームとして、T2フレームとFEF(Future Extension Frame)とが混在するのかの情報を含む。
【０１２１】
さらに、ビットS1及びS2は、P1シンボル以外のOFDMシンボル（P2シンボル、データシンボル、及び、FCのOFDMシンボル）が、SISO(Single Input Single Output)、及び、MISO(Multiple Input, Single Output)のうちのいずれの方式（伝送方式）で伝送されてくるのかの情報や、P1シンボル以外のOFDMシンボルのFFT演算を行うときのFFTサイズ(１回のFFT演算の対象とするサンプル（伝送シンボル）（サブキャリア）の数)等を含む。
【０１２２】
なお、DVB-T.2では、１個のOFDMシンボルを構成する伝送シンボル（サブキャリア）の数、つまり、FFTサイズとしては、1K，2K，4K，8K，16K、及び、32Kの６種類が規定されている。
【０１２３】
但し、P1シンボル以外のOFDMシンボルについては、上述の６種類のFFTサイズのいずれも使用可能であるが、P1シンボルについては、上述の６種類のFFTサイズのうちの、1Kのみが使用される。
【０１２４】
また、P2シンボル、データ(Normal)シンボル、及び、FCのOFDMシンボルでは、FFTサイズ、及び、GI(ガードインターバル)長として、同一の値が採用される。
【０１２５】
ここで、P1シンボルは、P2シンボルの復調に必要な伝送方式やFFTサイズ等を含むので、P2シンボルを復調するには、P1シンボルを復調する必要がある。
【０１２６】
P2には、L1pre(L1 pre Signalling)、及び、L1post(L1 post Signalling)からなるL1が含まれる。
【０１２７】
L1preは、受信装置が、L1postの復号を行うのに必要なパラメータ、及び、データシンボル（及びFCのOFDMシンボル）の復調に必要なパラメータを含む。
【０１２８】
すなわち、L1preには、例えば、L1postの変調方式（BPSK等）等が、L1postの復号を行うのに必要なパラメータとして含まれる。さらに、L1preには、例えば、パイロット信号(SP)の伝送シンボルの配置パターンを表すパイロットパターン(PP)、OFDM信号を伝送する伝送帯域の拡張の有無（Extended carrier mode、又は、Normal carrier mode）、１つのT2フレームに含まれるOFDMシンボルの数(T2フレーム長)等が、データシンボルを復調するのに必要なパラメータとして含まれる。
【０１２９】
ここで、DVB-T.2では、データシンボルにおける、SPの伝送シンボルの配置パターンとして、８通りのパイロットパターンPP1ないしPP8が定められており、データシンボルにおいて、SPの伝送シンボルは、その８通りのパイロットパターンPP1ないしPP8のうちの１つのパイロットパターンに従って配置されている。L1preには、データシンボルのSPの伝送シンボルの配置パターンとしてのパイロットパターンが含まれている。
【０１３０】
L1postは、受信装置が、PLP(Physical Layer Pipe)にアクセスするのに必要な情報を含む。
【０１３１】
すなわち、L1postには、PLPの変調方式や、T2フレーム内のPLPのサイズや位置の情報等が、PLPにアクセスするのに必要な情報として含まれる。
【０１３２】
受信装置では、P1シンボルを検出して復号し、GI長を推定すると、P2シンボルを復調することができる。さらに、P2シンボルを復調すると、L1preを復号することができ、L1preを復号すると、L1postを復号することができる。そして、その後、データシンボル（及びFCのOFDMシンボル）を復調することができる。
【０１３３】
なお、図８では、T2フレームに、２個のP2シンボルが配置されているが、DVB-T.2では、T2フレームに配置されるP2シンボルの数は、P2シンボル（及びデータシンボル）のFFTサイズによって決まる。
【０１３４】
例えば、P2シンボルのFFTサイズが、32K及び16Kである場合、T2フレームには、１個のP2シンボルが配置される。また、例えば、P2シンボルのFFTサイズが、8Kである場合、T2フレームには、２個のP2シンボルが配置される。
【０１３５】
図９は、P1シンボルの構成を示す図である。
【０１３６】
P1シンボルは、1K(=1024)個の伝送シンボルを有効な有効シンボルとして有する。
【０１３７】
そして、P1シンボルは、有効シンボルの、先頭側の一部分B1を周波数シフトした信号B1'を、有効シンボルの前側（時間的に先行する側）にコピーし、かつ、有効シンボルの残りの部分B2を周波数シフトした信号B2'を、有効シンボルの後ろ側（時間的に後行する側）にコピーした、サイクリック(cyclic)な構造になっている。
【０１３８】
以上のように、P1シンボルは、サイクリックな構造になっているので、受信装置では、OFDM信号の相関を演算することにより、P1シンボルを検出することができる。
【０１３９】
そして、受信装置では、P1シンボルを検出して復号し、さらに、GI長を推定すると、P2シンボルを復調し、L1（L1pre及びL1post）を復号することができる。
【０１４０】
したがって、P2シンボルを復調しないと、L1を復号することができず、データシンボルのパイロットパターンを認識することができない。
【０１４１】
そして、データシンボルのパイロットパターンを認識することができないと、データシンボルを用いて、補間フィルタ３９のフィルタ中心の位置を制御することはできない。
【０１４２】
以上から、受信装置において、データシンボルを用いた、補間フィルタ３９（図４）のフィルタ中心の位置の制御（以下、フィルタ中心位置制御ともいう）は、L1を復号し、データシンボルのパイロットパターンを認識（取得）した後でなければ、行うことができない。
【０１４３】
したがって、受信装置では、OFDM信号の受信を開始した後、L1を復号するまでは、フィルタ中心位置制御を行うことができない。
【先行技術文献】
【特許文献】
【０１４４】
【特許文献１】特開2005-312027号公報
【発明の概要】
【発明が解決しようとする課題】
【０１４５】
以上のように、L1等のプリアンブル信号に、データシンボルのパイロットパターンが含まれるOFDM信号については、受信装置では、OFDM信号の受信を開始した後、プリアンブル信号であるL1を復号するまでは、データシンボルを用いたフィルタ中心位置制御を行うことができないので、L1を復号するまでは、フィルタ中心の位置は、例えば、ある位置に固定される。
【０１４６】
したがって、OFDM信号の受信を開始した後、L1を復号する前に行われる、P2シンボルの復調では、フィルタ中心の位置は、固定される。
【０１４７】
フィルタ中心の位置が固定されている場合、エコーの遅延が大きいマルチパス（遅延広がりが大のマルチパス）については、例えば、エコー（のパス）が、補間フィルタ３９の通過帯域に含まれないことが生じやすくなる。
【０１４８】
そして、特に、低D/U(Desired to Undesired Ratio)のマルチパス（エコー(Undesired)のパワーが、メインパス(Desired)のパワーに近いマルチパス）については、大きなパワーのエコーが、補間フィルタ３９の通過帯域に含まれない場合には、伝送路特性の推定精度が大きく劣化し、その結果、P2シンボルについて、適切な歪み補正が行われずに、P2シンボルに含まれるL1の復号に失敗することがある。
【０１４９】
図１０は、フィルタ中心位置制御を行わずに、フィルタ中心の位置を固定して行う、補間フィルタ３９による、０値補間特性データのフィルタリングを説明する図である。
【０１５０】
すなわち、図１０は、０値補間特性データの時間領域のデータを示している。
【０１５１】
フィルタ中心位置制御を行わず、フィルタ中心の位置を固定した場合には、図１０に示すように、所望マルチパス（図１０において斜線で示す）の一部のパスが、補間フィルタ３９の通過帯域から外れる可能性が高くなる。
【０１５２】
ここで、図１０では、フィルタ中心の位置は、マルチパスのメインパスの位置に固定されており、エコーが、補間フィルタ３９の通過帯域から外れている（通過帯域に含まれていない）。
【０１５３】
P2シンボルにおいては、周波数方向にDxの周期で、パイロット信号（P2パイロット信号）の伝送シンボルが配置されている。
【０１５４】
ここで、DVB-T.2において、P2シンボルのP2パイロット信号の周期Dxは、P2シンボルのFFTサイズに依存し、FFTサイズが、32Kである場合には、周期Dxは、6であり、FFTサイズが、16K以下である場合には、周期Dxは、3である。
【０１５５】
周波数方向に周期Dxで、パイロット信号が配置されている場合、そのパイロット信号を用いて、周波数方向の伝送路特性（の推定値）を補間した周波数方向補間特性データを求めるための補間フィルタ３９のフィルタリングでは、所望マルチパスだけを抽出するために（所望マルチパス以外のマルチパスを除去するために）、通過帯域を、Tu/Dx［秒］以下にする必要がある（Tuは、有効シンボル長）。
【０１５６】
したがって、補間フィルタ３９のフィルタ中心の位置を適切に制御する場合には、最大で、Tu/Dxの遅延広がりを有するマルチパスについて、精度の良い周波数方向補間特性データを求めること、つまり、伝送路特性を精度良く推定することができる。
【０１５７】
しかしながら、補間フィルタ３９のフィルタ中心の位置が固定されている場合、すなわち、例えば、図１０に示したように、補間フィルタ３９のフィルタ中心の位置が、（所望マルチパスの）メインパスの位置に固定されている場合、遅延広がりがTu/(2×Dx)を超えるような、遅延広がりが大のマルチパスについては、その全体を通過帯域に含めることができないため（例えば、エコーが通過帯域から外れるため）、伝送路特性の推定精度が劣化し、その結果、P2シンボルについて、適切な歪み補正が行われずに、P2シンボルに含まれるL1の復号に失敗する可能性が高くなる。
【０１５８】
本発明は、このような状況に鑑みてなされたものであり、伝送路特性の推定精度の劣化を防止することができるようにするものである。
【課題を解決するための手段】
【０１５９】
本発明の第１の側面の受信装置は、OFDM(Orthogonal Frequency Division Multiplexing)信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段と、前記補間フィルタの通過帯域を制御するフィルタ制御手段とを備え、前記OFDM信号は、プリアンブル信号の伝送シンボルと、前記パイロット信号の伝送シンボルとが、あらかじめ定められた位置に配置されたプリアンブルシンボルむとともに、データの伝送シンボルが配置され、かつ、パイロット信号の伝送シンボルが、あらかじめ定められた複数のパイロットパターンのうちの１つのパイロットパターンに従って配置されたデータシンボルを含み、前記プリアンブル信号は、前記データシンボルのパイロットパターンの情報を含み、前記フィルタ制御手段は、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信装置である。
【０１６０】
本発明の第１の側面の受信方法は、OFDM(Orthogonal Frequency Division Multiplexing)信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段とを備え、前記OFDM信号は、プリアンブル信号の伝送シンボルと、前記パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含み、前記プリアンブル信号は、前記データシンボルのパイロットパターンの情報を含む受信装置が、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信方法である。
【０１６１】
本発明の第２の側面の受信システムは、伝送路を介して取得した信号に対して、前記伝送路で生じる誤りを訂正する処理を少なくとも含む伝送路復号処理を施す伝送路復号処理部と、前記伝送路復号処理が施された信号に対して、圧縮された情報を元の情報に伸張する処理を少なくとも含む情報源復号処理を施す情報源復号処理部とを含み、前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、前記伝送路復号処理部は、前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段と、前記補間フィルタの通過帯域を制御するフィルタ制御手段とを備え、前記フィルタ制御手段は、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信システムである。
【０１６２】
本発明の第３の側面の受信システムは、伝送路を介して取得した信号に対して、前記伝送路で生じる誤りを訂正する処理を少なくとも含む伝送路復号処理を施す伝送路復号処理部と、前記伝送路復号処理が施された信号に基づいて、画像又は音声を出力する出力部とを含み、前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、前記伝送路復号処理部は、前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段と、前記補間フィルタの通過帯域を制御するフィルタ制御手段とを備え、前記フィルタ制御手段は、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信システムである。
【０１６３】
本発明の第４の側面の受信システムは、伝送路を介して取得した信号に対して、前記伝送路で生じる誤りを訂正する処理を少なくとも含む伝送路復号処理を施す伝送路復号処理部と、前記伝送路復号処理が施された信号を記録する記録部とを含み、前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、前記伝送路復号処理部は、前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段と、前記補間フィルタの通過帯域を制御するフィルタ制御手段とを備え、前記フィルタ制御手段は、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信システムである。
【０１６４】
本発明の第５の側面の受信システムは、伝送路を介して、信号を取得する取得手段と、前記伝送路を介して取得した信号に対して、前記伝送路で生じる誤りを訂正する処理を少なくとも含む伝送路復号処理を施す伝送路復号処理部とを含み、前記伝送路を介して取得した信号は、プリアンブル信号の伝送シンボルと、パイロット信号の伝送シンボルとが、あらかじめ定められた位置に配置されたプリアンブルシンボルを含むとともに、データの伝送シンボルが配置され、かつ、パイロット信号の伝送シンボルが、あらかじめ定められた複数のパイロットパターンのうちの１つのパイロットパターンに従って配置されたデータシンボルを含むOFDM(Orthogonal Frequency Division Multiplexing)信号であり、前記プリアンブル信号は、前記データシンボルのパイロットパターンの情報を含み、前記伝送路復号処理部は、前記OFDM信号に含まれるパイロット信号を用いて、前記パイロット信号の伝送シンボルに対する、前記OFDM信号の伝送路の特性である伝送路特性の推定値である補間前伝送路特性データを求め、前記補間前伝送路特性データを、補間フィルタでフィルタリングすることにより、前記OFDM信号の各伝送シンボルに対する伝送路特性の推定値である伝送路特性データを求める伝送路特性推定手段と、前記伝送路特性データを用いて、前記OFDM信号の歪み補正を行う歪み補正手段と、前記補間フィルタの通過帯域を制御するフィルタ制御手段とを備え、前記フィルタ制御手段は、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データを、通過帯域を調整しながら補間フィルタでフィルタリングすることにより、前記OFDM信号の各伝送シンボルに対する伝送路特性の推定値である伝送路特性データを求め、前記伝送路特性データを用いて、前記プリアンブルシンボルの伝送シンボルの歪み補正を行い、前記歪み補正後の前記プリアンブル信号の伝送シンボルの信号品質を求め、前記信号品質を最良にする前記通過帯域を求め、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域を制御し、前記プリアンブル信号に含まれる前記パイロットパターンの情報が取得された後は、前記データシンボルの伝送シンボルを用いて、前記歪み補正後のOFDM信号の信号品質を最良にするように、前記通過帯域を制御する受信システムである。
【０１６５】
本発明の第１ないし第５の側面においては、OFDM(Orthogonal Frequency Division Multiplexing)信号に含まれるパイロット信号を用いて、前記パイロット信号の伝送シンボルに対する、前記OFDM信号の伝送路の特性である伝送路特性の推定値である補間前伝送路特性データが求められ、前記補間前伝送路特性データを、補間フィルタでフィルタリングすることにより、前記OFDM信号の各伝送シンボルに対する伝送路特性の推定値である伝送路特性データが求められる。そして、前記伝送路特性データを用いて、前記OFDM信号の歪み補正が行われる。前記OFDM信号には、プリアンブル信号の伝送シンボルと、前記パイロット信号の伝送シンボルとが、あらかじめ定められた位置に配置されたプリアンブルシンボルが含まれるとともに、データの伝送シンボルが配置され、かつ、パイロット信号の伝送シンボルが、あらかじめ定められた複数のパイロットパターンのうちの１つのパイロットパターンに従って配置されたデータシンボルが含まれ、前記プリアンブル信号は、前記データシンボルのパイロットパターンの情報が含まれる。そして、前記プリアンブルシンボルに含まれるパイロット信号の伝送シンボルを用いて求められる、前記プリアンブルシンボルに含まれるパイロット信号の伝送シンボルに対する伝送路特性の推定値である補間前伝送路特性データが、通過帯域を調整しながら補間フィルタでフィルタリングされることにより、前記OFDM信号の各伝送シンボルに対する伝送路特性の推定値である伝送路特性データが求められ、前記伝送路特性データを用いて、前記プリアンブルシンボルの伝送シンボルの歪み補正が行われ、前記歪み補正後の前記プリアンブル信号の伝送シンボルの信号品質が求められ、前記信号品質を最良にする前記通過帯域が求められ、前記プリアンブル信号に含まれる前記パイロットパターンの情報が取得される前は、前記プリアンブルシンボルの伝送シンボルを用いて、前記歪み補正後のOFDM信号の信号品質を最良にするように、前記通過帯域が制御され、前記プリアンブル信号に含まれる前記パイロットパターンの情報が取得された後は、前記データシンボルの伝送シンボルを用いて、前記歪み補正後のOFDM信号の信号品質を最良にするように、前記通過帯域が制御される。
【０１６６】
なお、受信装置や受信システムは、独立した装置であっても良いし、１つの装置を構成している内部ブロックであっても良い。
【発明の効果】
【０１６７】
伝送路特性の推定精度の劣化を防止することができる。
【図面の簡単な説明】
【０１６８】
【図１】OFDMシンボルを示す図である。
【図２】OFDMシンボル内の、パイロット信号の配置パターンの例を示す図である。
【図３】OFDM信号を受信する、従来の受信装置の一例の構成を示すブロック図である。
【図４】伝送路特性推定部１９の構成例を示すブロック図である。
【図５】時間方向の補間がされた伝送路特性の推定値である時間方向補間特性データを説明する図である。
【図６】周波数方向の補間がされた伝送路特性の推定値である周波数方向補間特性データを説明する図である。
【図７】０値補間特性データの時間領域のデータを示す図である。
【図８】T2フレームのフォーマットを示す図である。
【図９】P1シンボルの構成を示す図である。
【図１０】フィルタ中心の位置を固定して行う、０値補間特性データのフィルタリングを説明する図である。
【図１１】本発明を適用した受信装置の一実施の形態の構成例を示すブロック図である。
【図１２】伝送路特性推定部１０１の構成例を示すブロック図である。
【図１３】受信装置の処理の概要を説明するフローチャートである。
【図１４】DVB-T.2のデータシンボルのパイロット信号(SP)の配置パターンを示す図である。
【図１５】DVB-T.2のP2シンボルに含まれるパイロット信号（P2パイロット信号）の配置パターンを示す図である。
【図１６】フィルタ中心制御部１１１の構成例を示すブロック図である。
【図１７】捕捉モードのフィルタ中心位置制御を説明するフローチャートである。
【図１８】追従モードのフィルタ中心位置制御を説明するフローチャートである。
【図１９】受信装置を適用した受信システムの第１実施の形態の構成例を示すブロック図である。
【図２０】受信装置を適用した受信システムの第２実施の形態の構成例を示すブロック図である。
【図２１】受信装置を適用した受信システムの第３実施の形態の構成例を示すブロック図である。
【図２２】本発明を適用したコンピュータの一実施の形態の構成例を示すブロック図である。
【発明を実施するための形態】
【０１６９】
［本発明を適用した受信装置の一実施の形態］
【０１７０】
図１１は、本発明を適用した受信装置の一実施の形態の構成例を示すブロック図である。
【０１７１】
なお、図中、図３の場合と対応する部分については、同一の符号を付してあり、以下では、その説明は、適宜省略する。
【０１７２】
図１１の受信装置は、アンテナ１１ないしFFT部１８、伝送路歪み補正部２０、及び、誤り訂正部２１を有する点で、図３の場合と共通する。
【０１７３】
但し、図１１の受信装置は、図３の伝送路特性推定部１９に代えて、伝送路特性推定部１０１が設けられている点で、図３の場合と相違する。
【０１７４】
伝送路特性推定部１０１には、FFT部１８からOFDM周波数領域信号が供給される。
【０１７５】
伝送路特性推定部１０１は、FFT部１８からのOFDM周波数領域信号に含まれるP2シンボル（プリアンブルシンボル）や、データシンボルを用いて、OFDM信号の各伝送シンボル（サブキャリア）に対する伝送路特性を推定し、その伝送路特性の推定値である伝送路特性データを、伝送路歪み補正部２０に供給する。
【０１７６】
伝送路歪み補正部２０は、FFT部１８から供給されるOFDM周波数領域信号について、伝送路特性推定部１０１から供給される伝送路特性データを用いて、歪み補正を行い、その歪み補正後のOFDM周波数領域信号を、誤り訂正部２１に供給する。
【０１７７】
［伝送路特性推定部１０１の構成例］
【０１７８】
図１２は、図１１の伝送路特性推定部１０１の構成例を示すブロック図である。
【０１７９】
なお、図中、図４の伝送路特性推定部１９と対応する部分については、同一の符号を付してあり、以下では、その説明は、適宜省略する。
【０１８０】
図１２において、伝送路特性推定部１０１は、パイロット抽出部３１ないし周波数方向補間部３５を有する点、並びに、周波数方向補間部３５に、位置調整部３６、アップサンプル部３８、及び、補間フィルタ３９が設けられている点で、図４の伝送路特性推定部１９と共通する。
【０１８１】
但し、伝送路特性推定部１０１は、周波数方向補間部３５に、フィルタ中心制御部３７に代えて、フィルタ中心制御部１１１が設けられている点で、図４の伝送路特性推定部１９と相違する。
【０１８２】
フィルタ中心制御部１１１には、時間方向補間部３４から、時間方向補間特性データが供給されるとともに、FFT部１８から、OFDM周波数領域信号が供給される。フィルタ中心制御部１１１は、時間方向補間部３４からの時間方向補間特性データ、及び、FFT部１８からのOFDM周波数領域信号を用いて、フィルタ中心位置制御を行う。
【０１８３】
すなわち、フィルタ中心制御部１１１は、時間方向補間部３４からの時間方向補間特性データ（周波数方向の補間がされていない伝送路特性の推定値である補間前伝送路特性データ）に、位置調整部３６、アップサンプル部３８、及び、補間フィルタ３９が行うのと同様の処理を施し、OFDM周波数領域信号の各伝送シンボルに対する伝送路特性の推定値である伝送路特性データ（周波数方向補間特性データ）を求める。
【０１８４】
具体的には、フィルタ中心制御部１１１は、時間方向補間部３４からの時間方向補間特性データ（補間前伝送路特性データ）を、フィルタ中心の位置を調整しながら後述する補間フィルタ５４（図１６）でフィルタリングすることにより、OFDM周波数領域信号の各伝送シンボルに対する伝送路特性の推定値である伝送路特性データを求める。
【０１８５】
さらに、フィルタ中心制御部１１１は、伝送路特性データを用いて、FFT部１８からのOFDM周波数領域信号（の伝送シンボル）の歪み補正を、伝送路歪み補正部２０と同様に行い、歪み補正後のOFDM周波数領域信号の信号品質を、所定の伝送シンボルを対象として求める。
【０１８６】
以上のように、フィルタ中心制御部１１１は、（図示せぬ補間フィルタの）フィルタ中心の位置を調整しながら、信号品質を求め、信号品質が最良になる（より良くなる）フィルタ中心の位置（以下、最適位置ともいう）を求める。
【０１８７】
そして、フィルタ中心制御部１１１は、補間フィルタ３９のフィルタ中心の位置が、最適位置になるように、補間フィルタ３９のフィルタ中心の位置（補間フィルタ３９の通過帯域）を制御する。
【０１８８】
すなわち、フィルタ中心制御部１１１は、最適位置を表す最適位置情報を、位置調整部３６に供給する
【０１８９】
位置調整部３６は、上述したように、時間方向補間部３４からの時間方向補間特性データ（補間前伝送路特性データ）の位相を、フィルタ中心制御部１１１からの最適位置情報に応じて調整し、すなわち、時間方向補間特性データを、IQコンスタレーション上で回転し、これにより、相対的に、後段の補間フィルタ３９での、時間方向補間特性データのフィルタリング時のフィルタ中心の位置が、最適位置情報が表す位置にされる。
【０１９０】
アップサンプル部３８は、以上のようにして位置調整部３６で得られる位相の調整後の時間方向補間特性データの周波数方向に、伝送路特性の推定値が求められていない伝送シンボルの個数に等しい個数のゼロを補間し、その結果得られる０値補間特性データを、補間フィルタ３９に供給する。
【０１９１】
補間フィルタ３９は、アップサンプル部３８からの０値補間特性データをフィルタリングする。
【０１９２】
補間フィルタ３９によるフィルタリングにより、アップサンプル部３８でのゼロの補間によって時間方向補間特性データに生じる繰り返し成分が除去され、周波数方向の補間がされた伝送路特性、すなわち、OFDMシンボルの伝送シンボル（サブキャリア）のそれぞれに対する伝送路特性の推定値である周波数方向補間特性データが求められる。
【０１９３】
以上のようにして補間フィルタ３９で得られた周波数方向補間特性データは、OFDM信号の歪み補正に用いる伝送路特性データとして、伝送路歪み補正部２０に供給される。
【０１９４】
なお、図１２では、フィルタ中心制御部１１１は、伝送路特性推定部１０１の内部に設けられているが、フィルタ中心制御部１１１は、伝送路特性推定部１０１の外部に設けることが可能である。
【０１９５】
［受信装置の処理］
【０１９６】
図１３は、図１１の受信装置の処理の概要を説明するフローチャートである。
【０１９７】
受信装置は、電源がオンにされ、又は、所定のチャンネル（放送局の番組）が選択されると、T2フレームの受信を開始する。そして、受信装置は、ステップＳ１１において、T2フレームのP1シンボルの検出、復号を行い、ステップＳ１２において、GI長を推定する。
【０１９８】
受信装置は、ステップＳ１３において、P1シンボルの復号、及び、GI長の推定によって認識される、P2シンボルのFFTサイズや、T2フレームに含まれるP2シンボル全体の長さ等に基づいて、P2シンボルを復調する。
【０１９９】
受信装置は、P2シンボルの復調後、ステップＳ１４において、そのP2シンボルに含まれるL1preを復号する。
【０２００】
さらに、受信装置は、ステップＳ１５において、L1preの復号によって認識される、L1postの復号に必要な情報に基づいて、P2シンボルに含まれるL1postを復号する。
【０２０１】
その後、受信装置は、L1pre及びL1postの復号によって認識される、データシンボルの復調、及び、データシンボルに含まれるデータ(PLP)の復号に必要な情報に基づいて、ステップＳ１６において、データシンボルを復調し、ステップＳ１７において、そのデータシンボルに含まれるデータ（及びFC）を復号する。
【０２０２】
以上のように、P2シンボルが復調され、そのP2シンボルに含まれるL1（L1pre及びL1post）が復号され、さらに、データシンボルの復調、及び、そのデータシンボルに含まれるデータの復号が行われると、以降のT2フレームについては、定常状態の処理が行われる。
【０２０３】
すなわち、受信装置は、次のT2フレームを受信し、ステップＳ１８において、そのT2フレームに含まれるP2シンボルを復調して、ステップＳ１９において、そのP2シンボルに含まれるL1postを復号する。
【０２０４】
ここで、L1postには、データ(PLP)の位置や大きさ等のデータの復号に必要な情報が含まれるが、データ(PLP)の位置や大きさは、T2フレームごとに変化することがあるので、L1postは、T2フレームごとに復号される。
【０２０５】
その後、受信装置は、直前のステップＳ１９で復号したL1postに含まれる情報に基づいて、T2フレーム（直前のステップＳ１９でL1postを復号したT2フレーム）に含まれるデータシンボルの復調を、ステップＳ２０で行い、そのデータシンボルに含まれるデータの復号を、ステップＳ２１で行う。
【０２０６】
そして、受信装置が、さらに次のT2フレームを受信すると、処理は、ステップＳ２１からステップＳ１８に戻り、以下、同様の定常状態の処理が繰り返される。
【０２０７】
［データシンボルのパイロット信号の配置］
【０２０８】
図１４は、DVB-T.2のデータシンボルのパイロット信号(SP)の配置パターンを示す図である。
【０２０９】
なお、図２で説明したように、図１４において、横軸は、周波数（サブキャリア番号）を表し、縦軸は、時間（OFDMシンボル番号）を表す。
【０２１０】
DVB-T.2では、SPの配置パターンであるパイロットパターンとして、DVB-TやISDB-Tのように、１通りのパイロットパターンだけが定められているのではなく、８通りのパイロットパターンPP1ないしPP8が定められている。
【０２１１】
図１４は、パイロットパターンPP1及びPP4それぞれのデータシンボルを示している。
【０２１２】
図１４において、矩形は、伝送シンボルを表し、白抜きの矩形は、データの伝送シンボル(Data cell)を表す。また、斜線を付してある矩形は、SP（の伝送シンボル）を表し、黒で塗りつぶしている矩形は、エッジパイロット(Edge pilot)（の伝送シンボル）を表す。
【０２１３】
パイロットパターンPP1では、SPが存在する周波数の間隔（列の間隔）Dxが3に、SPが存在する周波数（列）におけるSPどうしの時間の間隔Dyが4に、周波数方向のSPの間隔Dx×Dyが12に、それぞれなっている。
【０２１４】
また、パイロットパターンPP4では、SPが存在する周波数の間隔（列の間隔）Dxが12に、SPが存在する周波数（列）におけるSPどうしの時間の間隔Dyが2に、周波数方向のSPの間隔Dx×Dyが24に、それぞれなっている。
【０２１５】
データシンボルのパイロットパターン（の情報）は、L1preに含まれており、したがって、データシンボルを用いたフィルタ中心位置制御は、P2シンボルを復調し、そのP2シンボルに含まれるL1preを復号するまでは、行うことができない。
【０２１６】
［P2パイロット信号の配置］
【０２１７】
図１５は、DVB-T.2のP2シンボルに含まれるパイロット信号（P2パイロット信号）の配置パターンを示す図である。
【０２１８】
なお、DVB-T.2では、OFDM信号を伝送する伝送帯域の拡張が可能であり、図１５において、エクステンディッドキャリアモード(Extended carrier mode)は、伝送帯域を拡張したモードであり、ノーマルキャリアモード(Normal carrier mode)は、伝送帯域を拡張しないモードである。
【０２１９】
また、図１５において、フィジカルキャリア(physical carrier)番号k'は、OFDMシンボルの中心のサブキャリアのサブキャリア番号を0とした場合のサブキャリア番号であり、ロジカルキャリア(logical carrier)番号kは、OFDMシンボルの左端のサブキャリア（周波数の最も低いサブキャリア）のサブキャリア番号を0とした場合のサブキャリア番号である。
【０２２０】
さらに、図１５には、図示していないが、左端及び右端の伝送シンボル（サブキャリア）は、エッジパイロット信号の伝送シンボルになっている。
【０２２１】
また、図１５において、P2シンボルのFFTサイズは、8Kであり、このため、T2フレームには、２個のP2シンボルが配置されている。
【０２２２】
すなわち、図１５において、上から１番目と２番目との２つのOFDMシンボルは、T2フレームにおいて、P1シンボルに続くP2シンボルであり、３番目以降のOFDMシンボルは、T2フレームにおいて、P2シンボルに続くデータシンボルである。
【０２２３】
また、図１５では、P2シンボルに含まれるP2パイロット信号の他、データシンボルに含まれるSP(Scattered Pilot)とCP(Continual Pilot)も、図示してある。
【０２２４】
さらに、図１５において、トーンリザベーションセル(Tone Reservation cell)とは、PAPR(peak to average power ratio)を軽減する値が設定される伝送シンボルである。
【０２２５】
すなわち、OFDMシンボルの伝送シンボルの値に偏りがある場合には、OFDM信号の送信装置でのIFFTによって得られるOFDM時間領域信号に、大きなピークが生じ、そのピークが、送信装置や受信装置でクリップされることによって、OFDM信号の受信性能が劣化する。
【０２２６】
トーンリザベーションセルには、そのようなピークを軽減させるための値が設定される。
【０２２７】
DVB-T.2において、P2シンボルのP2パイロット信号は、各OFDMシンボル（P2シンボル）の同一の周波数に、周期的に配置される。
【０２２８】
但し、DVB-T.2において、P2パイロット信号の配置の周期Dxは、P2シンボルのFFTサイズに依存し、FFTサイズが、32Kである場合には、周期Dxは、6であり、FFTサイズが、16K以下である場合には、周期Dxは、3である。
【０２２９】
図１５では、P2シンボルのFFTサイズは、上述したように、8Kであり、したがって、P2パイロット信号の配置の周期Dxは、3になっている。
【０２３０】
なお、P2パイロット信号は、時間方向には、すき間を空けずに配置される。
【０２３１】
P2シンボルには、P2パイロット信号が含まれるので、そのP2パイロット信号を用いて、伝送路特性の推定を行うことは、可能である。
【０２３２】
しかしながら、P2シンボルには、ISDB-TのTMCC/ACの伝送シンボルや、DVB-TのTPSの伝送シンボルが存在しないため、TMCC/ACの伝送シンボルや、TPSの伝送シンボルを対象として、歪み補正後のOFDM周波数領域信号の信号品質を求めることはできず、したがって、その信号品質を向上させるフィルタ中心位置制御も、行うことはできない。
【０２３３】
そこで、図１２のフィルタ中心制御部１１１は、L1preの伝送シンボルを対象として、歪み補正後のOFDM周波数領域信号の信号品質を求め、その信号品質を向上させるフィルタ中心位置制御を行う。
【０２３４】
［フィルタ中心制御部１１１の構成例］
【０２３５】
図１６は、図１２のフィルタ中心制御部１１１の構成例を示すブロック図である。
【０２３６】
フィルタ中心制御部１１１は、P2シンボルの復調、及び、そのP2シンボルに含まれるL1preの復号が行われ、データシンボルのパイロットパターン（の情報）が取得されるまでは、P2シンボルの伝送シンボルを用いて、歪み補正後のOFDM周波数領域信号の信号品質を最良にするように、フィルタ中心位置制御を行う。
【０２３７】
そして、フィルタ中心制御部１１１は、L1preが復号され、そのL1preに含まれるパイロットパターンが取得された後は、そのパイロットパターンに従ってSPの伝送シンボルが配置されたデータシンボルの伝送シンボルを用いて、歪み補正後のOFDM周波数領域信号の信号品質を最良にするように、フィルタ中心位置制御を行う。
【０２３８】
ここで、P2シンボル（の伝送シンボル）を用いたフィルタ中心位置制御を、捕捉モードのフィルタ中心位置制御ともいい、データシンボル（の伝送シンボル）を用いたフィルタ中心位置制御を、追従モードのフィルタ中心位置制御ともいう。
【０２３９】
フィルタ中心制御部１１１は、図１６に示すように、フィルタリング位置設定部５１、位置調整部５２、アップサンプル部５３、補間フィルタ５４、シンボル抽出部５５、伝送路歪み補正部５６、及び、信号品質計算部５７を有する。
【０２４０】
フィルタ中心制御部１１１において、FFT部１８からのOFDM周波数領域信号は、シンボル抽出部５５に供給され、時間方向補間部３４からの時間方向補間特性データ（補間前伝送路特性データ）は、位置調整部５２に供給される。
【０２４１】
ここで、パイロット抽出部３１（図１２）は、P2シンボルについては、P2パイロット信号（の伝送シンボル）を抽出し、データシンボルについては、SP（の伝送シンボル）を抽出する。
【０２４２】
P2シンボルのP2パイロット信号の位置は、P1シンボルの検出、及び、復号が行われた後、そのP1シンボルに含まれるビットS1及びS2から認識されるP2シンボルのFFTサイズから特定される。
【０２４３】
したがって、受信装置の電源がオンにされた後（又は、所定のチャンネル（放送局の番組）が選択された後）、P1シンボルの検出、及び、復号が行われることによって、P2シンボルのFFTサイズが認識され、P2パイロット信号の位置が特定された後に、パイロット抽出部３１は、P2パイロット信号を抽出することができる。
【０２４４】
また、データシンボルのSPの位置は、P1シンボルの検出、及び、復号、さらには、P2シンボルの復調、及び、L1preの復号が行われた後、そのL1preから認識されるパイロットパターンから特定される。
【０２４５】
したがって、受信装置の電源がオンにされた後、P1シンボルの検出、及び、復号、さらには、P2シンボルの復調、L1preの復号が行われることによって、データシンボルのパイロットパターンが認識され、データシンボルのSPの位置が特定された後に、パイロット抽出部３１は、SPを抽出することができる。
【０２４６】
パイロット抽出部３１で抽出されたパイロット信号（P2シンボルのP2パイロット信号、及び、データシンボルのSP）の伝送シンボルは、推定部３３（図１２）に供給される。
【０２４７】
推定部３３は、パイロット抽出部３１からのパイロット信号の伝送シンボルを用い、その伝送シンボルに対する伝送路特性を、上述したようにして推定し、その伝送路特性の推定値である伝送路特性データを、時間方向補間部３４に供給する。
【０２４８】
ここで、データシンボルのSPは、図１４に示したように、時間方向に、すき間を空けて配置されている。
【０２４９】
このため、時間方向補間部３４は、推定部３３からの伝送路特性データが、データシンボルのSPの伝送シンボルに対する伝送路特性の推定値である場合には、推定部３３からの伝送路特性データの時間方向の補間を行い、その補間後のデータである時間方向補間特性データとして出力する。
【０２５０】
一方、P2シンボルのP2パイロット信号は、図１５に示したように、時間方向には、すき間を空けずに配置される（あるいは、P2シンボルとしてOFDMシンボルは、T2フレームに、１つOFDMシンボルしか存在しない）ので、そのようなP2パイロット信号から推定される伝送路特性データについては、時間方向の補間を行う必要はない。
【０２５１】
このため、時間方向補間部３４は、推定部３３からの伝送路特性データが、P2シンボルのP2パイロット信号の伝送シンボルに対する伝送路特性の推定値である場合には、推定部３３からの伝送路特性データを、そのまま出力する。
【０２５２】
以上のように、時間方向補間部３４は、推定部３３からの伝送路特性データの時間方向の補間を行って、その補間後のデータを出力する場合と、推定部３３からの伝送路特性データの時間方向の補間を行わずに、その伝送路特性データをそのまま出力する場合とがあるが、時間方向補間部３４が出力するデータは、どちらの場合も、周波数方向の補間の対象となるので、以下、補間前伝送路特性データともいう。
【０２５３】
位置調整部５２には、以上のような、時間方向補間部３４が出力する補間前伝送路特性データが供給される。
【０２５４】
フィルタリング位置設定部５１は、補間フィルタ５４のフィルタ中心（通過帯域の中心）の位置を合わせる、補間前伝送路特性データ上の位置であるフィルタリング位置を設定し、そのフィルタリング位置を表す位置情報を、位置調整部５２に供給する。
【０２５５】
フィルタリング位置設定部５１は、複数のフィルタリング位置を設定し、その複数のフィルタリング位置それぞれと、各フィルタリング位置に対して、信号品質計算部５７から供給される信号品質を対応付けて記憶する。
【０２５６】
そして、フィルタリング位置設定部５１は、信号品質が最良になるフィルタリング位置である最適位置を求め、その最適位置を表す最適位置情報を、位置調整部３６に供給することで、（相対的に）、補間フィルタ３９（図１２）のフィルタ中心の位置を制御する。
【０２５７】
位置調整部５２、アップサンプル部５３、及び、補間フィルタ５４は、図１２の位置調整部３６、アップサンプル部３８、及び、補間フィルタ３９と、それぞれ同様の処理を行う。
【０２５８】
すなわち、位置調整部５２は、時間方向補間部３４からの補間前伝送路特性データの位相を、フィルタリング位置設定部５１からの位置情報に応じて調整し、位相の調整後の補間前伝送路特性データを、アップサンプル部５３に供給する。
【０２５９】
ここで、位置調整部５２では、図１２の位置調整部３６と同様に、フィルタリング位置設定部５１からの位置情報に応じて、時間方向補間部３４からの補間前伝送路特性データが、IQコンスタレーション上で回転され、これにより、相対的に、補間フィルタ５４での、補間前伝送路特性データのフィルタリング時のフィルタ中心の位置が、位置情報が表すフィルタリング位置に合わせられる。
【０２６０】
アップサンプル部５３は、図１２のアップサンプル部３８と同様に、位置調整部５２からの補間前伝送路特性データのサンプル値どうしの間に、周波数方向に見て、伝送路特性の推定値が求められていない伝送シンボルの個数に等しい個数のゼロを補間し、その補間の結果得られる０値補間特性データを、補間フィルタ５４に供給する。
【０２６１】
ここで、位置調整部５２からアップサンプル部５３に供給される補間前伝送路特性データが、例えば、図１４に示した、パイロットパターンPP1のデータシンボルのSPから得られた伝送路特性の推定値である場合には、周波数方向に見て、伝送路特性の推定値が求められていない伝送シンボルの個数Dx-1は、２個であるので、アップサンプル部５３では、２個のゼロが補間される。
【０２６２】
また、位置調整部５２からアップサンプル部５３に供給される補間前伝送路特性データが、例えば、図１４に示した、パイロットパターンPP4のデータシンボルのSPから得られた伝送路特性の推定値である場合には、周波数方向に見て、伝送路特性の推定値が求められていない伝送シンボルの個数Dx-1は、１１個であるので、アップサンプル部５３では、１１個のゼロが補間される。
【０２６３】
さらに、位置調整部５２からアップサンプル部５３に供給される補間前伝送路特性データが、例えば、図１５に示した、FFTサイズが8KのP2シンボルのP2パイロット信号から得られた伝送路特性の推定値である場合には、周波数方向に見て、伝送路特性の推定値が求められていない伝送シンボルの個数Dx-1は、２個であるので、アップサンプル部５３では、２個のゼロが補間される。
【０２６４】
補間フィルタ５４は、図１２の補間フィルタ３９と同様のLPFであり、アップサンプル部５３からの０値補間特性データをフィルタリングする。
【０２６５】
補間フィルタ５４によるフィルタリングにより、アップサンプル部５３でのゼロの補間によって補間前伝送路特性データ（に０値を補間した０値補間特性データ）に生じる繰り返し成分が除去され、周波数方向の補間がされた伝送路特性、すなわち、OFDMシンボルの伝送シンボル（サブキャリア）のそれぞれに対する伝送路特性の推定値である周波数方向補間特性データが求められる。
【０２６６】
以上のようにして補間フィルタ５４で得られた周波数方向補間特性データは、OFDM信号の歪み補正に用いる伝送路特性データとして、伝送路歪み補正部５６に供給される。
【０２６７】
シンボル抽出部５５は、FFT部１８からのOFDM周波数領域信号から、信号品質計算部５７での信号品質の計算の対象となる伝送シンボル（以下、対象シンボルともいう）を抽出し、伝送路歪み補正部５６に供給する。
【０２６８】
ここで、P2シンボルを用いたフィルタ中心位置制御が行われる捕捉モードでは、シンボル抽出部５５は、FFT部１８からのOFDM周波数領域信号としてのP2シンボルに含まれるL1preの伝送シンボルを、対象シンボルとして抽出する。
【０２６９】
L1preの伝送シンボルは、P2シンボルの先頭側に詰める形で配置され、さらに、周波数インタリーブ（周波数方向の位置を入れ替えるインターリーブ）が施されている。
【０２７０】
DVB-T.2では、周波数インタリーブでの伝送シンボルの入れ替え方が定められており、その入れ替え方に基づき、P2シンボルにおけるL1preの伝送シンボルの位置を特定することができる。
【０２７１】
シンボル抽出部５５は、周波数インタリーブでの伝送シンボルの入れ替え方に基づき、P2シンボルにおけるL1preの伝送シンボルの位置を特定し、P2シンボルから、L1preの伝送シンボルを、対象シンボルとして抽出する。
【０２７２】
また、データシンボルを用いたフィルタ中心位置制御が行われる追従モードでは、シンボル抽出部５５は、FFT部１８からのOFDM周波数領域信号としてのデータシンボルに含まれるCPの伝送シンボルを、対象シンボルとして抽出する。
【０２７３】
CPの伝送シンボルは、データシンボルの、あらかじめ定められた特定の周波数の伝送シンボルであるから、シンボル抽出部５５は、その特定の周波数の伝送シンボルであるCPの伝送シンボルを、対象シンボルとして、データシンボルから抽出する。
【０２７４】
伝送路歪み補正部５６は、シンボル抽出部５５からの対象シンボルのOFDM周波数領域信号の歪み補正を、図１２の伝送路歪み補正部２０と同様にして行う。
【０２７５】
すなわち、伝送路歪み補正部５６は、シンボル抽出部５５からの対象シンボルのOFDM周波数領域信号を、補間フィルタ５４からの伝送路特性データで除算することで、対象シンボルの歪み補正を行い、対象シンボルの歪み補正後のOFDM周波数領域信号を、信号品質計算部５７に供給する。
【０２７６】
なお、伝送路歪み補正部５６には、フィルタリング位置設定部５１から位置情報も供給される。伝送路歪み補正部５６では、図１２の伝送路歪み補正部２０と同様に、伝送路歪み補正部５６からの位置情報に応じて、シンボル抽出部５５からの対象シンボルのOFDM周波数領域信号の位相が調整（回転）され、その後、そのOFDM周波数領域信号が、伝送路特性推定部１９からの伝送路特性データで除算されることで、OFDM周波数領域信号の歪み補正が行われる。
【０２７７】
信号品質計算部５７は、伝送路歪み補正部５６からの対象シンボルの歪み補正後のOFDM周波数領域信号の信号品質の計算を行い、その信号品質を、フィルタリング位置設定部５１に供給する。
【０２７８】
ここで、対象シンボルが、CPの伝送シンボルである場合には、CPの伝送シンボルの値は、既知の値であるので、その既知の値と、対象シンボルの歪み補正後のOFDM周波数領域信号との距離（差）等を、対象シンボルの歪み補正後のOFDM周波数領域信号の信号品質として求めることができる。
【０２７９】
一方、対象シンボルが、L1preの伝送シンボルである場合には、L1preの伝送シンボルは、CPのように既知の値ではないが、DVB-T.2では、BPSKのみが行われる伝送シンボル（BPSKシンボル）であり、硬判定によって、比較的信頼性の高い値（硬判定値）を求めることができる。
【０２８０】
そこで、信号品質計算部５７は、伝送路歪み補正部５６からの対象シンボルとしてのL1preの伝送シンボルの歪み補正後のOFDM周波数領域信号（又は、歪み補正前のOFDM周波数領域信号）の硬判定を行い、その結果得られる硬判定値、つまり、IQコンスタレーション上の座標(I,Q)である(1,0)又は(-1,0)と、対象シンボルとしてのL1preの伝送シンボルの歪み補正後のOFDM周波数領域信号との距離等を、対象シンボルとしてのL1preの伝送シンボルの歪み補正後のOFDM周波数領域信号の信号品質として求める。
【０２８１】
［捕捉モードのフィルタ中心位置制御］
【０２８２】
図１７は、図１６のフィルタ中心制御部１１１が行う、捕捉モードのフィルタ中心位置制御を説明するフローチャートである。
【０２８３】
捕捉モードのフィルタ中心位置制御は、受信装置（図１１）において、電源がオンにされ（又は、所定のチャンネル（放送局の番組）が選択され）、最初のT2フレームの受信、そのT2フレームに含まれるP1シンボルの検出、復号が行われた後、P2シンボルの復調が開始されると、開始される。
【０２８４】
フィルタリング位置設定部５１は、ステップＳ４１において、補間フィルタ５４のフィルタ中心（通過帯域の中心）の位置を合わせる、補間前伝送路特性データ上の位置であるフィルタリング位置の候補となる候補位置を、複数である所定数だけ設定して、処理は、ステップＳ４２に進む。
【０２８５】
ここで、フィルタリング位置設定部５１では、例えば、P2シンボルのFFT開始位置を中心とする、補間前伝送路特性データ上の所定の範囲を等分する複数の位置等を、所定数の候補位置に設定することができる。
【０２８６】
ステップＳ４２では、フィルタリング位置設定部５１は、所定数の候補位置のうちの、まだ、フィルタリング位置に設定していない候補位置の１つを、フィルタリング位置に設定し、そのフィルタリング位置を表す位置情報を、位置調整部５２に供給して、処理は、ステップＳ４３に進む。
【０２８７】
ステップＳ４３では、位置調整部５２は、フィルタリング位置設定部５１からの位置情報に応じて、時間方向補間部３４からの補間前伝送路特性データを、IQコンスタレーション上で回転し、これにより、相対的に、補間フィルタ５４での、補間前伝送路特性データ（に０値の補間を行った０値補間特性データ）のフィルタリング時のフィルタ中心の位置が、位置情報が表すフィルタリング位置に合わせられる。
【０２８８】
すなわち、いまの場合、パイロット抽出部３１（図１２）は、P2シンボルのP2パイロット信号の伝送シンボルを抽出し、推定部３３（図１２）に供給する。
【０２８９】
推定部３３は、パイロット抽出部３１からのP2パイロット信号の伝送シンボルを用い、その伝送シンボルに対する伝送路特性を推定し、その伝送路特性の推定値である伝送路特性データを、時間方向補間部３４に供給する。
【０２９０】
時間方向補間部３４は、推定部３３からのP2パイロット信号の伝送シンボルに対する伝送路特性の推定値である伝送路特性データを、そのまま、補間前伝送路特性データとして出力する。
【０２９１】
位置調整部５２には、以上のような、時間方向補間部３４が出力する補間前伝送路特性データとしての、P2パイロット信号の伝送シンボルに対する伝送路特性の推定値（以下、補間前P2特性データともいう）が供給される。
【０２９２】
そして、位置調整部５２では、時間方向補間部３４が出力する、補間前P2特性データが、フィルタリング位置設定部５１からの位置情報に従って回転され、これにより、相対的に、補間フィルタ５４での、補間前P2特性データに０値を補間した０値補間特性データのフィルタリング時のフィルタ中心の位置が、位置情報が表すフィルタリング位置に合わせられる。
【０２９３】
位置調整部５２において回転された補間前P2特性データは、アップサンプル部５３に供給され、処理は、ステップＳ４３からステップＳ４４に進む。
【０２９４】
ステップＳ４４では、アップサンプル部５３は、位置調整部５２からの補間前P2特性データのサンプル値どうしの間に、周波数方向に見て、伝送路特性の推定値が求められていない伝送シンボルの個数に等しい個数のゼロを補間し、その補間の結果得られる０値補間特性データ（以下、０値補間P2特性データともいう）を、補間フィルタ５４に供給して、処理は、ステップＳ４５に進む。
【０２９５】
ステップＳ４５では、補間フィルタ５４が、アップサンプル部５３からの０値補間P2特性データをフィルタリングし、これにより、周波数方向の補間がされた伝送路特性の推定値である周波数方向補間特性データを求めて、伝送路歪み補正部５６に供給する。
【０２９６】
一方、ステップＳ４６において、シンボル抽出部５５は、FFT部１８からのOFDM周波数領域信号から、P2シンボルに含まれるL1preの伝送シンボルを、信号品質計算部５７での信号品質の計算の対象となる伝送シンボルである対象シンボルとして抽出し、伝送路歪み補正部５６に供給して、処理は、ステップＳ４７に進む。
【０２９７】
ステップＳ４７では、伝送路歪み補正部５６は、シンボル抽出部５５からの対象シンボルとしてのL1preの伝送シンボルのOFDM周波数領域信号を、補間フィルタ５４からの周波数方向補間特性データで除算することで、L1preの伝送シンボルの歪み補正を行い、そのL1preの伝送シンボルの歪み補正後のOFDM周波数領域信号を、信号品質計算部５７に供給して、処理は、ステップＳ４８に進む。
【０２９８】
ステップＳ４８では、信号品質計算部５７は、伝送路歪み補正部５６からのL1preの伝送シンボルの歪み補正後のOFDM周波数領域信号の信号品質の計算を行い、その信号品質を、フィルタリング位置設定部５１に供給して、処理は、ステップＳ４９に進む。
【０２９９】
すなわち、信号品質計算部５７は、例えば、伝送路歪み補正部５６から歪み補正後のOFDM周波数領域信号が供給される、１フレームのT2フレームの中の１個または複数のP2シンボルに含まれるL1preの伝送シンボルそれぞれについて、硬判定を行い、その結果得られる硬判定値と、L1preの伝送シンボルの歪み補正後のOFDM周波数領域信号との距離の総和を、L1preの伝送シンボルの歪み補正後のOFDM周波数領域信号の信号品質として求めて、フィルタリング位置設定部５１に供給する。
【０３００】
ステップＳ４９において、フィルタリング位置設定部５１は、フィルタリング位置（に設定されている候補位置）と、そのフィルタリング位置に対して、信号品質計算部５７から供給された信号品質とを対応付けて一時記憶し、所定数の候補位置のすべてを、フィルタリング位置に設定したかどうかを判定する。
【０３０１】
ステップＳ４９において、所定数の候補位置のすべてが、まだ、フィルタリング位置に設定されていないと判定された場合、すなわち、所定数の候補位置の中に、まだ、フィルタリング位置に設定していない候補位置がある場合、処理は、ステップＳ４２に戻り、フィルタリング位置設定部５１は、所定数の候補位置のうちの、まだ、フィルタリング位置に設定していない候補位置の１つを、フィルタリング位置に設定する。
【０３０２】
そして、フィルタリング位置設定部５１は、フィルタリング位置を表す位置情報を、位置調整部５２に供給して、以下、同様の処理が繰り返される。
【０３０３】
一方、ステップＳ４９において、所定数の候補位置のすべてが、フィルタリング位置に設定されたと判定された場合、処理は、ステップＳ５０に進み、フィルタリング位置設定部５１は、最良の信号品質と対応付けられているフィルタリング位置を、最適位置に決定する。
【０３０４】
さらに、フィルタリング位置設定部５１は、最適位置を表す最適位置情報を、位置調整部３６（図１２）に供給し、これにより、（相対的に）、補間フィルタ３９（図１２）のフィルタ中心の位置を制御する。
【０３０５】
その後、次のT2フレームが受信されるのを待って、処理は、ステップＳ５０からステップＳ４１に戻り、以下、L1preに含まれるパイロットパターンが取得されるまで、同様の処理が繰り返される。
【０３０６】
以上のように、捕捉モードのフィルタ中心位置制御では、フィルタ中心制御部１１１（図１６）は、推定部３３においてP2シンボル（プリアンブルシンボル）に含まれるP2パイロット信号の伝送シンボルを用いて求められる、P2パイロット信号の伝送シンボルに対する伝送路特性の推定値である補間前伝送路特性データ（に０値を補間した０値補間特性データ）を、フィルタ中心の位置となるフィルタリング位置を調整しながら補間フィルタ５４でフィルタリングすることにより、周波数方向の補間がされた周波数方向補間特性データ（P2シンボルの各伝送シンボルに対する伝送路特性の推定値である伝送路特性データ）を求める。
【０３０７】
さらに、フィルタ中心制御部１１１は、周波数方向補間特性データを用いて、P2シンボルに含まれるL1preの伝送シンボルの歪み補正を行い、その歪み補正後のL1preの伝送シンボルの信号品質を求める。
【０３０８】
そして、フィルタ中心制御部１１１は、信号品質を最良にするフィルタリング位置である最適位置を求め、これにより、（相対的に）、補間フィルタ３９（図１２）のフィルタ中心の位置を、最適位置に合わせる（一致させる）ように制御する。
【０３０９】
したがって、図１１の受信装置では、OFDM信号の受信を開始した後、P2シンボルに含まれるL1を復号する前に、補間フィルタ３９（図１２）のフィルタ中心の位置を、最適位置に合わせる制御が、P2シンボルを用いて行われるので、例えば、遅延広がりがTu/(2×Dx)を超えるような、遅延広がりが大のマルチパス（但し、遅延広がりがTu/Dx以下のマルチパス）であっても、そのマルチパスの全体を、補間フィルタ３９の通過帯域に含めることができ、補間フィルタ３９が出力する周波数方向補間特性データの精度の劣化を防止すること、すなわち、伝送路特性の推定精度の劣化を防止することができる。
【０３１０】
その結果、図１１の受信装置では、伝送路歪み補正部２０において、P2シンボルについて、適切な歪み補正（受信装置で受信したOFDM信号のサブキャリアの振幅及び位相を、送信装置が送信したOFDM信号のサブキャリアの振幅及び位相により近くする歪み補正）が行われるので、P2シンボルに含まれるL1の復号に失敗することを防止すること（復号の失敗の可能性を、極めて低くすること）ができる。
【０３１１】
なお、図１７の捕捉モードのフィルタ中心位置制御では、P2シンボルに含まれるL1preの伝送シンボルを、信号品質の計算の対象とする対象シンボルとしたが、対象シンボルとしては、その他、P2シンボルに含まれる、L1pre及びP2パイロット信号の伝送シンボル以外の伝送シンボルを採用することが可能である。
【０３１２】
但し、対象シンボルとして、P2シンボルに含まれる、L1pre及びP2パイロット信号の伝送シンボル以外の伝送シンボルを採用する場合には、その伝送シンボルの変調方式は、L1preの伝送シンボルのように、BPSKであるとは限らないため、何らかの方法で、対象シンボルとして採用する伝送シンボルの変調方式を認識する必要がある。
【０３１３】
さらに、対象シンボルとして採用する伝送シンボルの変調方式が、BPSK以外の、QPSKや、16QM等の４値以上の多値変調（ディジタル変調）である場合には、対象シンボルの信号品質の計算において、硬判定によって求められる硬判定値の信頼性が、BPSKシンボルであるL1preの伝送シンボルを対象シンボルとする場合に比較して低下する。
【０３１４】
また、図１７の捕捉モードのフィルタ中心位置制御では、P2シンボルに含まれるP2パイロット信号の伝送シンボルのすべてを用いて、伝送路特性の推定を行い、P2シンボルに含まれるL1preの伝送シンボルを、対象シンボルとして、その対象シンボルであるL1preの伝送シンボルの歪み補正後の信号品質を求めたが、伝送路特性の推定は、P2シンボルに含まれるP2パイロット信号の伝送シンボルの一部を用いて行い、信号品質は、P2シンボルに含まれるP2パイロット信号の伝送シンボルの残りを対象シンボルとして求めることが可能である。
【０３１５】
この場合、対象シンボルとなるP2パイロット信号の伝送シンボルは、値が既知であるため、硬判定をせずに、歪み補正後の対象シンボルの信号品質を求めることができる。
【０３１６】
但し、伝送路特性の推定において、P2シンボルに含まれるP2パイロット信号の伝送シンボルの一部しか用いない場合には、補間フィルタ３９及び５４において補間する周波数方向の伝送シンボルの数が多くなるので、補間フィルタ３９及び５４の通過帯域が狭くなり（補間フィルタ３９及び５４の通過帯域を狭くする必要があり）、その結果、伝送路特性の推定を精度良く行うことができるマルチパスの遅延広がりも小になる。
【０３１７】
［追従モードのフィルタ中心位置制御］
【０３１８】
図１８は、図１６のフィルタ中心制御部１１１が行う、追従モードのフィルタ中心位置制御を説明するフローチャートである。
【０３１９】
追従モードのフィルタ中心位置制御は、受信装置（図１１）において、L1preに含まれる、データシンボルのパイロットパターンが認識（取得）されると、開始される。
【０３２０】
すなわち、受信装置は、図１７で説明したように、捕捉モードのフィルタ中心位置制御において、P2シンボルを用いて、精度の劣化を防止した伝送路特性の推定を行うが、捕捉モードのフィルタ中心位置制御によって、P2シンボルに含まれるL1の復号に成功し、L1preに含まれる、データシンボルのパイロットパターンを認識（取得）すると、捕捉モードのフィルタ中心位置制御（図１７）を終了し、追従モードのフィルタ中心位置制御（図１８）を開始する。
【０３２１】
追従モードのフィルタ中心位置制御では、ステップＳ６１において、フィルタリング位置設定部５１は、図１７のステップＳ４１と同様に、フィルタリング位置の候補となる候補位置を、複数である所定数だけ設定して、処理は、ステップＳ６２に進む。
【０３２２】
ここで、ステップＳ６１では、フィルタリング位置設定部５１において、例えば、直前に終了した捕捉モードのフィルタ中心位置制御（図１７）で得られた最適位置を中心とする、補間前伝送路特性データ上の所定の範囲を等分する複数の位置等を、所定数の候補位置に設定することができる。
【０３２３】
ステップＳ６２では、フィルタリング位置設定部５１は、所定数の候補位置のうちの、まだ、フィルタリング位置に設定していない候補位置の１つを、フィルタリング位置に設定し、そのフィルタリング位置を表す位置情報を、位置調整部５２に供給して、処理は、ステップＳ６３に進む。
【０３２４】
ステップＳ６３では、位置調整部５２は、フィルタリング位置設定部５１からの位置情報に応じて、時間方向補間部３４からの補間前伝送路特性データを、IQコンスタレーション上で回転し、これにより、相対的に、補間フィルタ５４での、補間前伝送路特性データのフィルタリング時のフィルタ中心の位置が、位置情報が表すフィルタリング位置に合わせられる。
【０３２５】
すなわち、いまの場合、データシンボルのパイロットパターンが認識されているので、パイロット抽出部３１（図１２）は、パイロットパターンに従い、データシンボルのSPの伝送シンボルを抽出し、推定部３３（図１２）に供給する。
【０３２６】
推定部３３は、パイロット抽出部３１からのSPの伝送シンボルを用い、その伝送シンボルに対する伝送路特性を推定し、その伝送路特性の推定値である伝送路特性データを、時間方向補間部３４に供給する。
【０３２７】
時間方向補間部３４は、推定部３３からのSPの伝送シンボルに対する伝送路特性の推定値である伝送路特性データの時間方向の補間を行い、その補間の結果得られる時間方向補間特性データである補間前伝送路特性データ（以下、補間前SP特性データともいう）を出力する。
【０３２８】
位置調整部５２には、以上のような、時間方向補間部３４が出力する補間前SP特性データ（SPの伝送シンボルに対する伝送路特性の推定値の時間方向の補間を行ったデータ）が供給される。
【０３２９】
そして、位置調整部５２では、時間方向補間部３４が出力する、補間前SP特性データが、フィルタリング位置設定部５１からの位置情報に従って回転され、これにより、相対的に、補間フィルタ５４での、補間前SP特性データに０値の補間を行った０値補間特性データのフィルタリング時のフィルタ中心の位置が、位置情報が表すフィルタリング位置に合わせられる。
【０３３０】
位置調整部５２において回転された補間前SP特性データは、アップサンプル部５３に供給され、処理は、ステップＳ６３からステップＳ６４に進む。
【０３３１】
ステップＳ６４では、アップサンプル部５３は、位置調整部５２からの補間前SP特性データのサンプル値どうしの間に、周波数方向に見て、伝送路特性の推定値が求められていない伝送シンボルの個数に等しい個数のゼロを補間し、その補間の結果得られる０値補間特性データ（以下、０値補間SP特性データともいう）を、補間フィルタ５４に供給して、処理は、ステップＳ６５に進む。
【０３３２】
ステップＳ６５では、補間フィルタ５４が、アップサンプル部５３からの０値補間SP特性データをフィルタリングし、これにより、周波数方向の補間がされた伝送路特性の推定値である周波数方向補間特性データを求めて、伝送路歪み補正部５６に供給する。
【０３３３】
一方、ステップＳ６６において、シンボル抽出部５５は、FFT部１８からのOFDM周波数領域信号から、データシンボルに含まれる、既知の値の、例えば、CPの伝送シンボルを、信号品質計算部５７での信号品質の計算の対象となる伝送シンボルである対象シンボルとして抽出し、伝送路歪み補正部５６に供給して、処理は、ステップＳ６７に進む。
【０３３４】
ステップＳ６７では、伝送路歪み補正部５６は、シンボル抽出部５５からの対象シンボルとしてのCPの伝送シンボルのOFDM周波数領域信号を、補間フィルタ５４からの周波数方向補間特性データで除算することで、CPの伝送シンボルの歪み補正を行い、そのCPの伝送シンボルの歪み補正後のOFDM周波数領域信号を、信号品質計算部５７に供給して、処理は、ステップＳ６８に進む。
【０３３５】
ステップＳ６８では、信号品質計算部５７は、伝送路歪み補正部５６からのCPの伝送シンボルの歪み補正後のOFDM周波数領域信号の信号品質の計算を行い、その信号品質を、フィルタリング位置設定部５１に供給して、処理は、ステップＳ６９に進む。
【０３３６】
すなわち、CPの伝送シンボルは、既知の値であるので、信号品質計算部５７は、例えば、伝送路歪み補正部５６から歪み補正後のOFDM周波数領域信号が供給される、１フレームのT2フレームの中の１個又は複数個のデータシンボル（OFDMシンボル）に含まれるCPの伝送シンボルそれぞれについて、そのCPの伝送シンボルの既知の値と、CPの伝送シンボルの歪み補正後のOFDM周波数領域信号との距離の総和を、CPの伝送シンボルの歪み補正後のOFDM周波数領域信号の信号品質として求めて、フィルタリング位置設定部５１に供給する。
【０３３７】
ステップＳ６９において、フィルタリング位置設定部５１は、フィルタリング位置（に設定されている候補位置）と、そのフィルタリング位置に対して、信号品質計算部５７から供給された信号品質とを対応付けて一時記憶し、所定数の候補位置のすべてを、フィルタリング位置に設定したかどうかを判定する。
【０３３８】
ステップＳ６９において、所定数の候補位置のすべてが、まだ、フィルタリング位置に設定されていないと判定された場合、すなわち、所定数の候補位置の中に、まだ、フィルタリング位置に設定していない候補位置がある場合、処理は、ステップＳ６２に戻り、フィルタリング位置設定部５１は、所定数の候補位置のうちの、まだ、フィルタリング位置に設定していない候補位置の１つを、フィルタリング位置に設定する。
【０３３９】
そして、フィルタリング位置設定部５１は、フィルタリング位置を表す位置情報を、位置調整部５２に供給して、以下、同様の処理が繰り返される。
【０３４０】
一方、ステップＳ６９において、所定数の候補位置のすべてが、フィルタリング位置に設定されたと判定された場合、処理は、ステップＳ７０に進み、フィルタリング位置設定部５１は、最良の信号品質と対応付けられているフィルタリング位置を、最適位置に決定する。
【０３４１】
さらに、フィルタリング位置設定部５１は、最適位置を表す最適位置情報を、位置調整部３６（図１２）に供給し、これにより、（相対的に）、補間フィルタ３９（図１２）のフィルタ中心の位置を制御する。
【０３４２】
その後、処理は、ステップＳ７０からステップＳ６１に戻り、次のデータシンボルについて、以下、同様の処理が繰り返される。
【０３４３】
以上のように、追従モードのフィルタ中心位置制御では、データシンボルを用いて、補間フィルタ３９（図１２）のフィルタ中心の位置が制御される。
【０３４４】
なお、図１８の追従モードのフィルタ中心位置制御では、SPの伝送シンボルを用いて推定された、SPの伝送シンボルに対する伝送路特性の推定値（SP伝送路特性データ）の時間方向の補間を行い、その補間によって得られる補間前SP特性データの周波数方向に０値を補間することによって得られる０値補間SP特性データを、補間フィルタ５４（及び補間フィルタ３９）でのフィルタリングの対象としたが、補間フィルタ５４では、SP伝送路特性データについて、時間方向の補間を行わず、かつ、周波数方向の０値の補間を行うことによって得られる０値補間SP特性データを、フィルタリングの対象とすることができる。
【０３４５】
SP伝送路特性データについて、時間方向を行わず、かつ、周波数方向の０値の補間を行うことによって得られる０値補間SP特性データを、補間フィルタ５４（及び補間フィルタ３９）でのフィルタリングの対象とする場合には、補間フィルタ５４において補間する周波数方向の伝送シンボルの数が多くなるので、補間フィルタ５４の通過帯域が狭くなり（補間フィルタ５４の通過帯域を狭くする必要があり）、その結果、伝送路特性の推定を精度良く行うことができるマルチパスの遅延広がりも小になる。
【０３４６】
但し、この場合、伝送路特性の推定を精度良く行うことができるマルチパスの遅延広がりが小になるのと引き替えに、時間変動の大きな伝送路について、伝送路特性の推定精度を向上させることができる。
【０３４７】
また、図１８の追従モードのフィルタ中心位置制御では、CP以外の伝送シンボルを対象シンボルとして、信号品質を求めることができる。
【０３４８】
すなわち、データシンボルの、あらかじめ決められた位置に、BPSKやQPSK等の、小さい値の多値変調の伝送シンボルを配置しておき、その伝送シンボルを対象シンボルとして、硬判定を行い、信号品質を求めることができる。
【０３４９】
［受信システムの構成例］
【０３５０】
図１９は、図１１の受信装置を適用した受信システムの第１実施の形態の構成例を示すブロック図である。
【０３５１】
図１９において、受信システムは、取得部２０１、伝送路復号処理部２０２、及び、情報源復号処理部２０３から構成される。
【０３５２】
取得部２０１は、例えば、テレビジョン放送の番組等のデータを、OFDMで変調したOFDM信号を取得する。
【０３５３】
すなわち、例えば、図示せぬ放送局や、webサーバが、OFDM信号を送信するようになっており、取得部２０１は、そのOFDM信号を取得する。
【０３５４】
ここで、OFDM信号が、例えば、放送局から、地上波や、衛星波、CATV(Cable Television)網等を介して放送されてくる場合には、取得部２０１は、チューナやSTB(Set Top Box)等で構成される。また、OFDM信号が、例えば、webサーバから、IPTV(Internet Protocol Television)のようにマルチキャストで送信されてくる場合には、取得部２０１は、例えば、NIC(Network Interface Card)等のネットワークI/F(Interface)で構成される。
【０３５５】
取得部２０１は、例えば、地上ディジタル放送、衛星ディジタル放送、CATV網、インターネットその他のネットワーク等の、図示せぬ伝送路を介して、OFDM信号を取得し、伝送路復号処理部２０２に供給する。
【０３５６】
伝送路復号処理部２０２は、取得部２０１が伝送路を介して取得したOFDM信号に対して、復調、及び、伝送路で生じる誤りを訂正する処理を少なくとも含む伝送路復号処理を施し、その結果得られる信号を、情報源復号処理部２０３に供給する。
【０３５７】
すなわち、取得部２０１が伝送路を介して取得したOFDM信号は、伝送路で生じる誤りを訂正するための誤り訂正符号化が、少なくとも施されたOFDM信号であり、伝送路復号処理部２０２は、そのようなOFDM信号に対して、例えば、復調、及び、誤り訂正処理等の伝送路復号処理を施す。
【０３５８】
ここで、誤り訂正符号化としては、例えば、LDPC符号化や、リードソロモン符号化等がある。
【０３５９】
情報源復号処理部２０３は、伝送路復号処理が施された信号に対して、圧縮された情報を元の情報に伸張する処理を少なくとも含む情報源復号処理を施す。
【０３６０】
すなわち、取得部２０１が伝送路を介して取得したOFDM信号には、情報としての画像や音声等のデータ量を少なくするために、情報を圧縮する圧縮符号化が施されていることがあり、その場合、情報源復号処理部２０３は、伝送路復号処理が施された信号に対して、圧縮された情報を元の情報に伸張する処理(伸張処理）等の情報源復号処理を施す。
【０３６１】
なお、取得部２０１が伝送路を介して取得したOFDM信号に、圧縮符号化が施されていない場合には、情報源復号処理部２０３では、圧縮された情報を元の情報に伸張する処理は行われない。
【０３６２】
ここで、伸張処理としては、例えば、MPEGデコード等がある。また、伝送路復号処理には、伸張処理の他、デスクランブル等が含まれることがある。
【０３６３】
以上のように構成される受信システムでは、取得部２０１において、例えば、画像や音声等のデータに対して、MPEG符号化等の圧縮符号化が施され、さらに、LDPC符号化等の誤り訂正符号化が施されたOFDM信号が、伝送路を介して取得され、伝送路復号処理部２０２に供給される。
【０３６４】
伝送路復号処理部２０２では、取得部２０１からのOFDM信号に対して、伝送路復号処理が施され、その結果得られる信号が、情報源復号処理部２０３に供給される。
【０３６５】
情報源復号処理部２０３では、伝送路復号処理部２０２からの信号に対して、MPEGデコード等の情報源復号処理が施され、その結果得られる画像、又は音声が出力される。
【０３６６】
以上のような図１９の受信システムは、例えば、ディジタル放送としてのテレビジョン放送を受信するテレビチューナ等に適用することができる。
【０３６７】
なお、取得部２０１、伝送路復号処理部２０２、及び、情報源復号処理部２０３は、それぞれ、１つの独立した装置（ハードウェア（IC(Integrated Circuit)等））、又はソフトウエアモジュール）として構成することが可能である。
【０３６８】
また、取得部２０１、伝送路復号処理部２０２、及び、情報源復号処理部２０３については、取得部２０１と伝送路復号処理部２０２とのセットや、伝送路復号処理部２０２と情報源復号処理部２０３とのセット、取得部２０１、伝送路復号処理部２０２、及び、情報源復号処理部２０３のセットを、１つの独立した装置として構成することが可能である。
【０３６９】
ここで、図１１の受信装置は、取得部２０１及び伝送路復号処理部２０２に適用することができる。
【０３７０】
図２０は、図１１の受信装置を適用した受信システムの第２実施の形態の構成例を示すブロック図である。
【０３７１】
なお、図中、図１９の場合と対応する部分については、同一の符号を付してあり、以下では、その説明は、適宜省略する。
【０３７２】
図２０の受信システムは、取得部２０１、伝送路復号処理部２０２、及び、情報源復号処理部２０３を有する点で、図１９の場合と共通し、出力部２１１が新たに設けられている点で、図１９の場合と相違する。
【０３７３】
出力部２１１は、例えば、画像を表示する表示装置や、音声を出力するスピーカであり、情報源復号処理部２０３から出力される信号としての画像や音声等を出力する。すなわち、出力部２１１は、画像を表示し、あるいは、音声を出力する。
【０３７４】
以上のような図２０の受信システムは、例えば、ディジタル放送としてのテレビジョン放送を受信するTVや、ラジオ放送を受信するラジオ受信機等に適用することができる。
【０３７５】
なお、取得部２０１において取得された信号に、圧縮符号化が施されていない場合には、伝送路復号処理部２０２が出力する信号が、情報源復号処理部２０３をバイパスして、出力部２１１に供給される。
【０３７６】
図２１は、図１１の受信装置を適用した受信システムの第３実施の形態の構成例を示すブロック図である。
【０３７７】
なお、図中、図１９の場合と対応する部分については、同一の符号を付してあり、以下では、その説明は、適宜省略する。
【０３７８】
図２１の受信システムは、取得部２０１、及び、伝送路復号処理部２０２を有する点で、図１９の場合と共通する。
【０３７９】
但し、図２１の受信システムは、情報源復号処理部２０３が設けられておらず、記録部２２１が新たに設けられている点で、図１９の場合と相違する。
【０３８０】
記録部２２１は、伝送路復号処理部２０２が出力する信号（例えば、MPEGのTSのTSパケット）を、光ディスクや、ハードディスク（磁気ディスク）、フラッシュメモリ等の記録（記憶）媒体に記録する（記憶させる）。
【０３８１】
以上のような図２１の受信システムは、テレビジョン放送を録画するレコーダ等に適用することができる。
【０３８２】
なお、図２１において、受信システムは、情報源復号処理部２０３を設けて構成し、情報源復号処理部２０３で、情報源復号処理が施された後の信号、すなわち、デコードによって得られる画像や音声を、記録部２２１で記録することができる。
【０３８３】
［本発明を適用したコンピュータの説明］
【０３８４】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０３８５】
そこで、図２２は、上述した一連の処理を実行するプログラムがインストールされるコンピュータの一実施の形態の構成例を示している。
【０３８６】
プログラムは、コンピュータに内蔵されている記録媒体としてのハードディスク３０５やROM３０３に予め記録しておくことができる。
【０３８７】
あるいはまた、プログラムは、リムーバブル記録媒体３１１に格納（記録）しておくことができる。このようなリムーバブル記録媒体３１１は、いわゆるパッケージソフトウエアとして提供することができる。ここで、リムーバブル記録媒体３１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０３８８】
なお、プログラムは、上述したようなリムーバブル記録媒体３１１からコンピュータにインストールする他、通信網や放送網を介して、コンピュータにダウンロードし、内蔵するハードディスク３０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０３８９】
コンピュータは、CPU(Central Processing Unit)３０２を内蔵しており、CPU３０２には、バス３０１を介して、入出力インタフェース３１０が接続されている。
【０３９０】
CPU３０２は、入出力インタフェース３１０を介して、ユーザによって、入力部３０７が操作等されることにより指令が入力されると、それに従って、ROM(Read Only Memory)３０３に格納されているプログラムを実行する。あるいは、CPU３０２は、ハードディスク３０５に格納されたプログラムを、RAM(Random Access Memory)３０４にロードして実行する。
【０３９１】
これにより、CPU３０２は、上述したフローチャートにしたがった処理、あるいは上述したブロック図の構成により行われる処理を行う。そして、CPU３０２は、その処理結果を、必要に応じて、例えば、入出力インタフェース３１０を介して、出力部３０６から出力、あるいは、通信部３０８から送信、さらには、ハードディスク３０５に記録等させる。
【０３９２】
なお、入力部３０７は、キーボードや、マウス、マイク等で構成される。また、出力部３０６は、LCD(Liquid Crystal Display)やスピーカ等で構成される。
【０３９３】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３９４】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０３９５】
なお、本発明の実施の形態は、上述した実施の形態に限定されるものではなく、本発明の要旨を逸脱しない範囲において種々の変更が可能である。
【０３９６】
すなわち、本発明は、DVB-T.2のOFDM信号を受信する場合の他、例えば、パイロットパターンを含むプリアンブル信号の伝送シンボル、及び、パイロット信号の伝送シンボルが、あらかじめ定められた位置に配置されたプリアンブルのOFDMシンボルであるプリアンブルシンボルと、データの伝送シンボルが配置され、かつ、パイロット信号の伝送シンボルが、あらかじめ定められた複数のパイロットパターンのうちの、プリアンブル信号に含まれるパイロットパターンに従って配置されたデータのOFDMシンボルであるデータシンボルとを含むOFDM信号等を受信する場合に適用可能である。
【０３９７】
また、本実施の形態では、位置調整部５２（図１６）において、補間前伝送路特性データを、IQコンスタレーション上で回転することにより、相対的に、補間フィルタ５４での、補間前伝送路特性データ（から得られる０値補間特性データ）のフィルタリング時のフィルタ中心の位置を制御するようにしたが、補間フィルタ５４でのフィルタリング時のフィルタ中心の位置の制御は、その他、補間フィルタ５４のフィルタ係数を変更することによって行うことが可能である。
【０３９８】
補間フィルタ３９のフィルタ中心の位置の制御も、同様である。
【０３９９】
さらに、フィルタ中心位置制御（図１７、図１８）では、フィルタリング位置を、信号品質が向上するように、徐々に変更しながら、信号品質を求め、信号品質の極値が検出されたときのフィルタリング位置を、最適位置とすることが可能である。
【符号の説明】
【０４００】
１１  アンテナ，  １２  チューナ，  １３  BPF，  １４  A/D変換部，  １５  直交復調部，  １６  オフセット補正部，  １７  FFT制御部，  １８  FFT部，  １９  伝送路特性推定部，  ２０  伝送路歪み補正部，  ２１  誤り訂正部，  ３１  パイロット抽出部，  ３２  基準信号生成部，  ３３  推定部，  ３４  時間方向補間部，  ３５  周波数方向補間部，  ３６  位置調整部，  ３７  フィルタ中心制御部，  ３８  アップサンプル部，  ３９  補間フィルタ，  ５１  フィルタリング位置制御部，  ５２  位置調整部，  ５３  アップサンプル部，  ５４  補間フィルタ，  ５５  シンボル抽出部，  ５６  伝送路歪み補正部，  ５７  信号品質計算部，  １０１  伝送路特性推定部，  １１１  フィルタ中心制御部，  ２０１  取得部，  ２０２  伝送路復号処理部，  ２０３  情報源復号処理部，  ２１１  出力部，  ２２１  記録部，  ３０１  バス，  ３０２  CPU，  ３０３  ROM，  ３０４  RAM，  ３０５  ハードディスク，  ３０６  出力部，  ３０７  入力部，  ３０８  通信部，  ３０９  ドライブ，  ３１０  入出力インタフェース，  ３１１  リムーバブル記録媒体
【図１】
0005577884.tif 000002
【図２】
0005577884.tif 000003
【図３】
0005577884.tif 000004
【図４】
0005577884.tif 000005
【図５】
0005577884.tif 000006
【図６】
0005577884.tif 000007
【図７】
0005577884.tif 000008
【図８】
0005577884.tif 000009
【図９】
0005577884.tif 000010
【図１０】
0005577884.tif 000011
【図１１】
0005577884.tif 000012
【図１２】
0005577884.tif 000013
【図１３】
0005577884.tif 000014
【図１４】
0005577884.tif 000015
【図１５】
0005577884.tif 000016
【図１６】
0005577884.tif 000017
【図１７】
0005577884.tif 000018
【図１８】
0005577884.tif 000019
【図１９】
0005577884.tif 000020
【図２０】
0005577884.tif 000021
【図２１】
0005577884.tif 000022
【図２２】
0005577884.tif 000023